(57)【特許請求の範囲】
【請求項１】
基地局装置、データ中継装置、課金情報生成装置を含む課金システムであって、
前記基地局装置は、
データを転送する第１のデータ転送部と、
少なくとも前記課金情報生成装置を介して転送され且つ前記第１のデータ転送部により転送されなかった端末装置宛データに関する転送不可データ情報を生成する第１の生成部と、
前記第１の生成部により生成された転送不可データ情報を外部へ送信する第１の送信部と、
を備え、
前記データ中継装置は、
データを転送する第２のデータ転送部と、
少なくとも前記課金情報生成装置を介して転送され且つ前記第２のデータ転送部により転送されなかった端末装置宛データに関する転送不可データ情報を生成する第２の生成部と、
前記第２の生成部により生成された転送不可データ情報を外部へ送信する第２の送信部と、
を備え、
前記課金情報生成装置は、
データを転送する第３のデータ転送部と、
前記第３のデータ転送部により転送されたデータに基づいて課金情報を生成する課金情報生成部と、
を備え、
前記課金情報が、前記第１の送信部により送信された転送不可データ情報と前記第２の送信部により送信された転送不可データ情報のいずれか一方又は両方に基づいて、修正される、
ことを特徴とする課金システム。
【請求項２】
課金情報処理装置を更に含み、
前記基地局装置において、
前記第１の送信部は、前記第１の生成部により生成された転送不可データ情報を前記課金情報処理装置へ送信し、
前記データ中継装置において、
前記第２の送信部は、前記第２の生成部により生成された転送不可データ情報を前記課金情報処理装置へ送信し、
前記課金情報生成装置は、
前記課金情報を前記課金情報処理装置へ送信する第３の送信部、
を更に備え、
前記課金情報処理装置は、
前記課金情報を受信する第１の受信部と、
前記転送不可データ情報を受信する第２の受信部と、
前記第１の受信部により受信された課金情報を、前記第２の受信部により受信された転送不可データ情報に基づいて修正する課金情報修正部と、
を備える、
ことを特徴とする請求項１記載の課金システム。
【請求項３】
前記基地局装置において、
前記第１の生成部は、転送不可データ情報が記録されるファイルである転送不可データ用ＣＤＲ（Charging Data Record）を生成し、当該転送不可データ用ＣＤＲに、当該第１の生成部が生成した転送不可データ情報を記録し、
前記第１の送信部は、前記第１の生成部により転送不可データ情報が記録された転送不可データ用ＣＤＲを前記課金情報処理装置へ送信し、
前記データ中継装置において、
前記第２の生成部は、転送不可データ用ＣＤＲを生成し、当該転送不可データ用ＣＤＲに、当該第２の生成部が生成した転送不可データ情報を記録し、
前記第２の送信部は、前記第２の生成部により転送不可データ情報が記録された転送不可データ用ＣＤＲを前記課金情報処理装置へ送信し、
前記課金情報生成装置において、
前記課金情報生成部は、課金情報が記録されるファイルであるＣＤＲを生成し、当該ＣＤＲに、当該課金情報生成部が生成した課金情報を記録し、
前記第３の送信部は、前記課金情報生成部により課金情報が記録されたＣＤＲを、前記課金情報処理装置へ送信し、
前記課金情報処理装置において、
前記第１の受信部は、前記ＣＤＲを受信し、
前記第２の受信部は、前記転送不可データ用ＣＤＲを受信し、
前記課金情報修正部は、前記第１の受信部により受信されたＣＤＲに記録された課金情報を、前記第２の受信部により受信された転送不可データ用ＣＤＲに記録された転送不可データ情報に基づいて修正する、
ことを特徴とする請求項２記載の課金システム。
【請求項４】
前記基地局装置において、
前記第１の送信部は、前記第１の生成部により生成された転送不可データ情報を、当該転送不可データ情報に係る転送不可の端末装置宛データの転送元装置へ送信し、
前記データ中継装置は、
前記第２のデータ転送部が転送した端末装置宛データの転送先装置から送信された転送不可データ情報を受信する第１の受信部と、
前記第１の受信部により受信された転送不可データ情報と、前記第２の生成部により生成された転送不可データ情報とをマージするマージ部と、
を更に備え、
前記データ中継装置において、
前記第２の送信部は、前記第２の生成部により生成された転送不可データ情報、前記第１の受信部により受信された転送不可データ情報、又は、前記マージ部によりマージされた転送不可データ情報を、当該転送不可データ情報に係る転送不可の端末装置宛データの転送元装置へ送信し、
前記課金情報生成装置は、
前記第３のデータ転送部が転送した端末装置宛データの転送先装置から送信された転送不可データ情報を受信する第２の受信部と、
前記課金情報生成部により生成された課金情報を、前記第２の受信部により受信された転送不可データ情報に基づいて修正する課金情報修正部と、
を更に備える、
ことを特徴とする請求項１記載の課金システム。
【請求項５】
前記課金情報は、前記第３のデータ転送部が転送した端末装置宛データのデータ量に関する情報を含み、
前記転送不可データ情報は、少なくとも前記第３のデータ転送部を介して転送され且つ端末装置に転送されなかった端末装置宛データのデータ量に関する情報を含み、
前記課金情報修正部は、前記課金情報に含まれる端末装置宛データのデータ量から、前記転送不可データ情報に含まれる端末装置宛データのデータ量を減算する、
ことを特徴とする請求項１乃至４の何れか一項に記載の課金システム。
【請求項６】
転送したデータに基づいて課金情報を生成する課金情報生成装置から送信された課金情報を受信する第１の受信部と、
外部から送信された転送不可データ情報を受信する第２の受信部と、
前記課金情報を前記転送不可データ情報に基づいて修正する課金情報修正部と、
を備え、
前記課金情報は、前記転送したデータの宛先である端末装置についての識別情報と、前記転送したデータについてのベアラが確立された時刻を表している開始時刻情報とを含み、
前記第２の受信部により受信された転送不可データ情報は、少なくとも前記課金情報生成装置を介して転送され且つ前記端末装置に転送されなかった端末装置宛データに関する情報であって、該端末装置宛データの宛先である端末装置についての識別情報と、前記端末装置宛データの前記端末装置への転送のためのベアラが確立された時刻を表している開始時刻情報とを含み、
前記課金情報修正部は、前記第１の受信部が受信した課金情報のうちで前記第２の受信部が受信した転送不可データ情報との間で前記識別情報及び前記開始時刻情報が対応している課金情報を、該転送不可データ情報に基づいて修正する、
ことを特徴とする課金情報処理装置。
【請求項７】
データを転送するデータ転送部と、
前記データ転送部により転送されたデータに基づいて課金情報を生成して記録する課金情報生成部と、
外部から送信された転送不可データ情報を受信する受信部と、
前記課金情報を前記転送不可データ情報に基づいて修正する課金情報修正部と、
前記課金情報生成部により生成された課金情報と前記課金情報修正部により修正された課金情報のいずれか一方又は両方を外部へ送信する送信部と、
を備え、
前記転送不可データ情報は、少なくとも前記データ転送部を介して転送され且つ端末装置に転送されなかった端末装置宛データに関する情報であって、該端末装置宛データが破棄された時刻を表している時刻情報を含み、
前記課金情報修正部は、前記課金情報生成部が前記課金情報の記録を行った期間内に前記転送不可データ情報に含まれている前記時刻情報で示されている時刻が含まれる場合に、該課金情報を該転送不可データ情報に基づいて修正する、
ことを特徴とする課金情報生成装置。
【請求項８】
基地局装置、データ中継装置、課金情報生成装置を含む課金システムの課金情報修正方法であって、
前記基地局装置のコンピュータは、
少なくとも前記課金情報生成装置を介して転送され且つ当該基地局装置により転送されなかった端末装置宛データに関する転送不可データ情報を生成し、
前記転送不可データ情報を外部へ送信する、
処理を実行し、
前記データ中継装置のコンピュータは、
少なくとも前記課金情報生成装置を介して転送され且つ当該データ中継装置により転送されなかった端末装置宛データに関する転送不可データ情報を生成し、
前記転送不可データ情報を外部へ送信する、
処理を実行し、
前記課金情報生成装置が転送したデータに基づいて生成された課金情報が、前記基地局装置から送信された転送不可データ情報と前記データ中継装置から送信された転送不可データ情報のいずれか一方又は両方に基づいて、修正される、
ことを特徴とする課金システムの課金情報修正方法。
【請求項９】
転送したデータに基づいて課金情報を生成する課金情報生成装置から送信された課金情報を処理する課金情報処理装置のコンピュータは、
外部から送信された転送不可データ情報を受信し、
前記課金情報を前記転送不可データ情報に基づいて修正する、
処理を実行し、
前記課金情報は、前記転送したデータの宛先である端末装置についての識別情報と、前記転送したデータについてのベアラが確立された時刻を表している開始時刻情報とを含み、
前記転送不可データ情報は、少なくとも前記課金情報生成装置を介して転送され且つ前記端末装置に転送されなかった端末装置宛データに関する情報であって、該端末装置宛データの宛先である端末装置についての識別情報と、前記端末装置宛データの前記端末装置への転送のためのベアラが確立された時刻を表している開始時刻情報とを含み、
前記課金情報を修正する処理では、前記課金情報生成装置から送信された課金情報のうちで前記受信した転送不可データ情報との間で前記識別情報及び前記開始時刻情報が対応している課金情報を、該転送不可データ情報に基づいて修正する、
ことを特徴とする課金情報処理装置の課金情報修正方法。
【請求項１０】
課金情報生成装置のコンピュータは、
当該課金情報生成装置が転送したデータに基づいて課金情報を生成して記録し、
外部から送信された転送不可データ情報に基づいて前記課金情報を修正する、
処理を実行し、
前記転送不可データ情報は、少なくとも当該課金情報生成装置を介して転送され且つ端末装置に転送されなかった端末装置宛データに関する情報であって、該端末装置宛データが破棄された時刻を表している時刻情報を含み、
前記課金情報を修正する処理では、前記課金情報を生成して記録する処理の実行により前記課金情報の記録を行った期間内に前記転送不可データ情報に含まれている前記時刻情報で示されている時刻が含まれる場合に、該課金情報を該転送不可データ情報に基づいて修正する、
ことを特徴とする課金情報生成装置の課金情報修正方法。
【請求項１１】
転送したデータに基づいて課金情報を生成する課金情報生成装置から送信された課金情報を処理する課金情報処理装置のコンピュータに、
外部から送信された転送不可データ情報を受信し、
前記課金情報を前記転送不可データ情報に基づいて修正する、
処理を実行させ、
前記課金情報は、前記転送したデータの宛先である端末装置についての識別情報と、前記転送したデータについてのベアラが確立された時刻を表している開始時刻情報とを含み、
前記転送不可データ情報は、少なくとも前記課金情報生成装置を介して転送され且つ前記端末装置に転送されなかった端末装置宛データに関する情報であって、該端末装置宛データの宛先である端末装置についての識別情報と、前記端末装置宛データの前記端末装置への転送のためのベアラが確立された時刻を表している開始時刻情報とを含み、
前記課金情報を修正する処理では、前記課金情報生成装置から送信された課金情報のうちで前記受信した転送不可データ情報との間で前記識別情報及び前記開始時刻情報が対応している課金情報を、該転送不可データ情報に基づいて修正する、
ことを特徴とするプログラム。
【請求項１２】
課金情報生成装置のコンピュータに、
当該課金情報生成装置が転送したデータに基づいて課金情報を生成して記録し、
外部から送信された転送不可データ情報に基づいて前記課金情報を修正する、
処理を実行させ、
前記転送不可データ情報は、少なくとも当該課金情報生成装置を介して転送され且つ端末装置に転送されなかった端末装置宛データに関する情報であって、該端末装置宛データが破棄された時刻を表している時刻情報を含み、
前記課金情報を修正する処理では、前記課金情報を生成して記録する処理の実行により前記課金情報の記録を行った期間内に前記転送不可データ情報に含まれている前記時刻情報で示されている時刻が含まれる場合に、該課金情報を該転送不可データ情報に基づいて修正する、
ことを特徴とするプログラム。
【発明の詳細な説明】
【技術分野】
【０００１】
本発明は、ユーザのネットワークトラフィックに基づいて課金を行う技術に関する。
【背景技術】
【０００２】
従来、パケット交換網を含む移動体通信網として、例えば、基地局装置、パケット中継装置、課金情報生成装置を含む移動体通信網が知られている。この移動体通信網では、携帯電話機等の移動体端末装置と通信相手先装置との間でのデータの送受が、基地局装置、パケット中継装置、課金情報生成装置等を介して行われる。
【０００３】
このような移動体通信網におけるパケット交換網にて行われる制御の一つとして課金制御がある。この課金制御では、課金情報生成装置が、当該装置を通過させたユーザのネットワークトラフィックに関する情報をＣＤＲ（Charging Data Record）に記録し、適宜、明細センタの課金情報処理装置へ送信する。ＣＤＲは、課金情報を記録するファイルであり、課金情報生成装置によりベアラ毎に生成される。課金情報は、例えば、加入者識別子（ＩＭＳＩ：International Mobile Subscriber Identity）、課金記録の開始時間、課金記録時間、通過データ量に関する情報を含む。なお、ベアラとは、論理的な通信路のことである。明細センタの課金情報処理装置は、受信したＣＤＲに記録されている課金情報に基づいて、対応する移動体端末装置のユーザ（例えば携帯電話会社の加入者）に対する明細請求書データの作成等を行う。
【０００４】
このようにして行われる課金制御には、２種類の課金制御がある。一つは、ベアラ単位で、課金情報をＣＤＲに記録するベアラレベルの課金制御である。もう一つは、ベアラに適用されたＰＣＣ(Policy and Charging Control)で識別されたサービスフロー単位で、課金情報を１つのＣＤＲ内で分計して記録するサービスフローレベルの課金制御である。サービスフローは、パケットのヘッダに含まれる送信元アドレス、送信元ポート、宛先アドレス、宛先ポート、プロトコルＩＤ（Identifier）等によって識別される。ベアラに適用されるＰＣＣは、ＰＣＲＦ(Policy and Charging Rules Function)から課金情報生成装置に通知される。但し、パケット中継装置及び基地局装置には通知されない。
【０００５】
なお、通信網で行われる課金制御に関する技術としては、次のような技術が知られている。例えば、従量料金課金装置において、送信元に対してネットワークの使用量に応じた従量料金を課金する技術が知られている。また、課金システムにおいて、一斉同報サービスを行うときに、受信されたデータ量に応じて課金する技術が知られている。また、配信サーバにおいて、回線切断等の通信の失敗に対応して課金する技術が知られている。また、データ伝送の課金方式において、所定間隔ごとにデータユニットが転送され、該データユニットに対して生成されるタイミング信号を利用して課金処理を行う技術が知られている。
【先行技術文献】
【特許文献】
【０００６】
【特許文献１】国際公開第０２／３００４８号
【特許文献２】特開２０１０−９３３４０号公報
【特許文献３】特開２００２−１６４９５５号公報
【特許文献４】特開平８−２９３８６２号公報
【発明の概要】
【発明が解決しようとする課題】
【０００７】
ところで、上記の移動体通信網では、課金情報生成装置を通過したダウンリンクパケット（以下、「ＤＬパケット」と言う）が、次のような理由により、移動体端末装置に届かない場合がある。例えば、そのＤＬパケットを受信したパケット中継装置や基地局装置において、パケット転送用バッファメモリのオーバーフロー等といった当該装置の内部要因により、ＤＬパケットが破棄されてしまったという理由である。また、例えば、そのＤＬパケットを受信したパケット中継装置や基地局装置において、当該パケットの送信先に係るルーティング情報が無い等、装置間状態不整合による関連するセッションが無いためにパケットを転送できなかったという理由である。この場合も、転送できないパケットは破棄されてしまうことになる。
【０００８】
このように、課金情報生成装置を通過したＤＬパケットが実際に移動体端末装置に届いていない場合であっても、そのパケットに係る課金情報は、課金情報生成装置においてＣＤＲに計上されている。このような場合、移動体端末装置に実際に届いていないパケットについては課金すべきでないとする新しい考え方をするならば、ＣＤＲは誤課金情報を含むことになる。現時点において３ＧＰＰ（3rd Generation Partnership Project）に規定されている課金制御では、このような誤課金を防止する仕組みはない。
【０００９】
なお、従来では、パケット中継装置や基地局装置においてパケットが破棄されないようにするという技術的思想はあった。しかしながら、パケット中継装置や基地局装置において破棄されたために移動体端末装置に実際に届かなかったパケットについては課金を行わないようにするという技術的思想は無かった。
【００１０】
本発明は、上記実情に鑑み、課金情報生成装置を通過した端末装置宛データが端末装置に届いていない場合に、そのデータに係る課金が行われるのを防止する、システム、装置、方法、プログラムを提供することを目的とする。
【課題を解決するための手段】
【００１１】
システムの一観点によれば、基地局装置、データ中継装置、課金情報生成装置を含む課金システムが提供される。基地局装置は、第１のデータ転送部と、第１の生成部と、第１の送信部とを備える。第１のデータ転送部は、データを転送する。第１の生成部は、少なくとも課金情報生成装置を介して転送され且つ第１のデータ転送部により転送されなかった端末装置宛データに関する転送不可データ情報を生成する。第１の送信部は、第１の生成部により生成された転送不可データ情報を外部へ送信する。データ中継装置は、第２のデータ転送部と、第２の生成部と、第２の送信部とを備える。第２のデータ転送部は、データを転送する。第２の生成部は、少なくとも課金情報生成装置を介して転送され且つ第２のデータ転送部により転送されなかった端末装置宛データに関する転送不可データ情報を生成する。第２の送信部は、第２の生成部により生成された転送不可データ情報を外部へ送信する。課金情報生成装置は、第３のデータ転送部と、課金情報生成部とを備える。第３のデータ転送部は、データを転送する。課金情報生成部は、第３のデータ転送部により転送されたデータに基づいて課金情報を生成する。そして、課金情報が、第１の送信部により送信された転送不可データ情報と第２の送信部により送信された転送不可データ情報のいずれか一方又は両方に基づいて、修正される。
【００１４】
装置の他の一観点によれば、課金情報処理装置が提供される。この課金情報処理装置は、第１の受信部と、第２の受信部と、課金情報修正部とを備える。第１の受信部は、転送したデータに基づいて課金情報を生成する課金情報生成装置から送信された課金情報を受信する。第２の受信部は、外部から送信された転送不可データ情報を受信する。課金情報修正部は、課金情報を転送不可データ情報に基づいて修正する。なお、課金情報は、転送したデータの宛先である端末装置についての識別情報と、転送したデータについてのベアラが確立された時刻を表している開始時刻情報とを含む。第２の受信部により受信された転送不可データ情報は、少なくとも課金情報生成装置を介して転送され且つ端末装置に転送されなかった端末装置宛データに関する情報であって、端末装置宛データの宛先である端末装置についての識別情報と、端末装置宛データの端末装置への転送のためのベアラが確立された時刻を表している開始時刻情報とを含む。この構成において、課金情報修正部は、第１の受信部が受信した課金情報のうちで第２の受信部が受信した転送不可データ情報との間で識別情報及び開始時刻情報が対応している課金情報を、転送不可データ情報に基づいて修正する。
【００１５】
装置の他の一観点によれば、課金情報生成装置が提供される。この課金情報生成装置は、データ転送部と、課金情報生成部と、受信部と、課金情報修正部と、送信部とを備える。データ転送部は、データを転送する。課金情報生成部は、データ転送部により転送されたデータに基づいて課金情報を生成して記録する。受信部は、外部から送信された転送不可データ情報を受信する。課金情報修正部は、課金情報を前記転送不可データ情報に基づいて修正する。送信部は、課金情報生成部により生成された課金情報と課金情報修正部により修正された課金情報のいずれか一方又は両方を外部へ送信する。なお、転送不可データ情報は、少なくともデータ転送部を介して転送され且つ端末装置に転送されなかった端末装置宛データに関する情報であって、該端末装置宛データが破棄された時刻を表している時刻情報を含む。この構成において、課金情報修正部は、課金情報生成部が課金情報の記録を行った期間内に転送不可データ情報に含まれている時刻情報で示されている時刻が含まれる場合に、該課金情報を該転送不可データ情報に基づいて修正する。
【００１６】
なお、上記のシステム及び各装置は、方法、プログラムとして構成することも可能である。
【発明の効果】
【００１７】
開示のシステム、装置、方法、プログラムは、課金情報生成装置を通過した端末装置宛データが端末装置に届いていない場合に、そのデータに係る課金が行われるのを防止することができる、という効果を奏する。
【図面の簡単な説明】
【００１８】
【図１】課金システムの一例を示す図である。
【図２】ＣＤＲに記録される課金情報の一例を示す図である。
【図３】課金システムにおいて起こり得るパケット破棄（パケットロス）の一例を示す図である。
【図４】課金システムにおける、課金情報を修正する仕組みの一例を説明する図である。
【図５】課金情報を修正する仕組みを実現する課金システムにおける、基地局装置、パケット中継装置、課金情報生成装置、課金情報処理装置の構成例を示す図である。
【図６】基地局装置、パケット中継装置が行う動作の一例を示すフローチャートである。
【図７】課金情報処理装置が行う動作の一例を示すフローチャートである。
【図８】課金システムをＥ−ＵＴＲＡＮとＥＰＣネットワークとを含む通信網に適用した例を示す図である。
【図９】課金システムをＵＴＲＡＮとＧＰＲＳネットワークとを含む通信網に適用した例を示す図である。
【図１０】課金システムを、ＵＴＲＡＮとＧＰＲＳネットワークとＥＰＣネットワークとを含む通信網に適用した例を示す図である。
【図１１】ＣＤＲを用いて課金情報を修正する仕組みとして考えられた他の方法を採用した場合の課金システムの一例を示す図である。
【図１２】課金システムにおける、課金情報を修正する仕組みの一例を説明する図である。
【図１３】基地局装置の構成例を示す図である。
【図１４】パケット中継装置の構成例を示す図である。
【図１５】課金情報生成装置の構成例を示す図である。
【図１６】基地局装置が行う動作の一例を示すフローチャートである。
【図１７】パケット中継装置が行う動作の一例を示すフローチャートである。
【図１８】課金情報生成装置が行う動作の一例を示すフローチャートである。
【図１９】課金システムをＥ−ＵＴＲＡＮとＥＰＣネットワークとを含む通信網に適用した例を示す図である。
【図２０】課金システムをＵＴＲＡＮとＧＰＲＳネットワークとを含む通信網に適用した例を示す図である。
【図２１】課金システムをＵＴＲＡＮとＧＰＲＳネットワークとＥＰＣネットワークとを含む通信網に適用した例を示す図である。
【図２２】コンピュータの構成例を示す図である。
【発明を実施するための形態】
【００１９】
＜第１の実施形態＞
図１は、第１の実施形態に係る課金システムの一例を示す図である。
なお、本実施形態に係る課金システムは、例えば、移動体通信網におけるパケット交換網に含まれる。また、本実施形態に係る課金システムでは、ベアラレベルの課金制御が行われるものとする。
【００２０】
図１に示したように、本実施形態に係る課金システム１００は、複数の端末装置１１０、複数の基地局装置１２０、複数のパケット中継装置１３０、課金情報生成装置１４０、明細センタの課金情報処理装置１５０を含む。なお、パケット中継装置１３０は、データ中継装置の一例である。
【００２１】
この課金システム１００では、例えば、端末装置１１０と図示しない通信相手先装置との間でのパケット（ユーザデータ）の送受が、基地局装置１２０、パケット中継装置１３０、課金情報生成装置１４０を介して行われる。
【００２２】
端末装置１１０は、例えば携帯電話機等の移動体端末装置である。
基地局装置１２０、パケット中継装置１３０は、パケットの転送等を行う。
課金情報生成装置１４０は、パケットの転送、課金情報の生成、ＣＤＲ１４０ａの生成、課金情報を記録したＣＤＲ１４０ａの課金情報処理装置１５０への送信等を行う。なお、ＣＤＲ１４０ａはベアラ毎に生成される。
【００２３】
課金情報処理装置１５０は、課金情報生成装置１４０から送信されたＣＤＲ１４０ａに記録されている課金情報に基づいて、明細請求書データの作成等を行う。
図２は、ＣＤＲ１４０ａに記録される課金情報の一例を示す図である。
【００２４】
図２に示したように、ＣＤＲ１４０ａに記録される課金情報は、「ＣＤＲタイプ」、「加入者識別子（ＩＭＳＩ）」、「課金情報生成装置アドレス」、「課金ＩＤ（Identification）」、「パケット中継装置アドレス」に関する情報を含む。また、ＣＤＲ１４０ａに記録される課金情報は、「課金記録の開始時刻」、「課金記録時間」、「ＣＤＲのクローズ理由」に関する情報や、「課金特性情報」も含む。
【００２５】
「ＣＤＲタイプ」は、ＣＤＲのタイプを示し、例えば、課金システム１００がＬＴＥ（Long Term Evolution）に対応したシステムの場合、ＰＧＷ（Packet data network Gateway）−ＣＤＲとなる。「加入者識別子」は、当該ＣＤＲ１４０ａに対応するベアラを利用して通信を行った端末装置１１０のユーザに割り当てられた識別子である。「課金情報生成装置アドレス」は、課金情報生成装置１４０のアドレスである。「課金ＩＤ」は、当該ＣＤＲ１４０ａの識別子である。「パケット中継装置アドレス」は、当該ＣＤＲ１４０ａに対応するベアラで使用されたパケット中継装置１３０のアドレスである。「課金記録の開始時刻」は、当該ＣＤＲ１４０ａに対応するベアラが確立された時の時刻である。「課金記録時間」は、「課金記録の開始時刻」から当該ＣＤＲ１４０ａがクローズした時刻までの時間である。「ＣＤＲのクローズ理由」は、当該ＣＤＲ１４０ａがクローズした理由である。例えば、端末装置１１０の移動により、通信に使用されるパケット中継装置１３０が変更された等の理由である。「課金特性情報」は、「ダウンリンク通過データ量」と「アップリンク通過データ量」に関する情報を含む。「ダウンリンク通過データ量」に関する情報は、当該ＣＤＲ１４０ａに対応するベアラにおいて、課金情報生成装置１４０を通過した、ＤＬパケット（端末装置１１０宛データ）のデータ量に関する情報である。「アップリンク通過データ量」に関する情報は、当該ＣＤＲ１４０ａに対応するベアラにおいて、課金情報生成装置１４０を通過した、アップリンクパケット（以下「ＵＬパケット」という）のデータ量に関する情報である。
【００２６】
図３は、課金システム１００において起こり得るパケット破棄（パケットロス）の一例を示す図である。
図３に示したように、課金システム１００では、課金情報生成装置１４０を通過したＤＬパケットが、次のような理由により、基地局装置１２０やパケット中継装置１３０で破棄されてしまう場合がある。例えば、そのＤＬパケットを受信したパケット中継装置１３０や基地局装置１２０において、パケット転送用バッファメモリのオーバーフロー等といった当該装置の内部要因により、そのＤＬパケットが破棄されてしまう場合である。また、例えば、そのＤＬパケットを受信したパケット中継装置１３０や基地局装置１２０において、装置間状態不整合により関連するセッションが無いために、そのＤＬパケットが破棄されてしまう場合である。なお、装置間状態不整合により関連するセッションが無い場合とは、例えば、パケットの送信先に係るルーティング情報が無い場合等である。
【００２７】
このような場合、課金情報生成装置１４０を通過したＤＬパケットは、端末装置１１０に届かないことになる。従来のシステムでは、このような場合に、そのパケットに対しても課金が行われることになった。これに対して、課金システム１００では、少なくともパケット中継装置１３０や基地局装置１２０の内部要因によりＤＬパケットが破棄された場合には、課金情報を修正し、そのパケットに対して課金が行われるのを防止するようにしている。
【００２８】
図４は、課金システム１００における、課金情報を修正する仕組みの一例を説明する図である。
図４に示したように、基地局装置１２０では、破棄されたＤＬパケットに関する情報である破棄パケット情報を、破棄パケット専用ＣＤＲ１２０ａに記録するようにする。なお、破棄パケット情報は、転送不可データ情報の一例である。また、破棄パケット専用ＣＤＲ１２０ａは、破棄パケット情報が記録されるファイルであり、転送不可データ情報が記録されるファイルである転送不可データ用ＣＤＲの一例である。破棄パケット専用ＣＤＲ１２０ａは、基地局装置１２０で破棄されたＤＬパケットに係るベアラ毎に、関連するセッション情報に基づいて生成される。従って、基地局装置１２０においてＤＬパケットが破棄されていないベアラに対しては、破棄パケット専用ＣＤＲ１２０ａは生成されない。なお、セッション情報は、基地局装置１２０において管理されている。また、破棄パケット専用ＣＤＲ１２０ａのフォーマットは、課金情報生成装置１４０で生成されるＣＤＲ１４０ａのフォーマットを流用することができる。但し、この場合、破棄パケット専用ＣＤＲ１２０ａに記録される情報は、図２に示したＣＤＲ１４０ａに記録される情報に対して例えば次の点が変更される。まず、破棄パケット専用ＣＤＲ１２０ａに記録される情報には、図２に示した「ダウンリンク通過データ量」に関する情報の代わりに、当該ＣＤＲ１２０ａに対応するベアラにおいて基地局装置１２０で破棄されたＤＬパケットのデータ量に関する情報が含まれる。また、図２に示した「課金情報生成装置アドレス」の代わりに基地局装置１２０のアドレスが含まれる。そして、基地局装置１２０では、破棄パケット情報が記録された破棄パケット専用ＣＤＲ１２０ａを、適宜、課金情報処理装置１５０へ送信するようにする。
【００２９】
パケット中継装置１３０においても同様である。すなわち、パケット中継装置１３０では、破棄されたＤＬパケットに関する情報である破棄パケット情報を、破棄パケット専用ＣＤＲ１３０ａに記録するようにする。なお、その破棄パケット情報は、転送不可データ情報の一例である。また、破棄パケット専用ＣＤＲ１３０ａは、破棄パケット情報が記録されるファイルであり、転送不可データ情報が記録されるファイルである転送不可データ用ＣＤＲの一例である。破棄パケット専用ＣＤＲ１３０ａは、パケット中継装置１３０で破棄されたＤＬパケットに係るベアラ毎に、関連するセッション情報に基づいて生成される。従って、パケット中継装置１３０においてＤＬパケットが破棄されていないベアラに対しては、破棄パケット専用ＣＤＲ１３０ａは生成されない。なお、セッション情報は、パケット中継装置１３０において管理されている。また、破棄パケット専用ＣＤＲ１３０ａのフォーマットは、課金情報生成装置１４０で生成されるＣＤＲ１４０ａのフォーマットを流用することができる。但し、この場合、破棄パケット専用ＣＤＲ１３０ａに記録される情報は、図２に示したＣＤＲ１４０ａに記録される情報に対して例えば次の点が変更される。まず、破棄パケット専用ＣＤＲ１３０ａに記録される情報には、図２に示した「ダウンリンク通過データ量」に関する情報の代わりに当該ＣＤＲ１３０ａに対応するベアラにおいてパケット中継装置１３０で破棄されたＤＬパケットのデータ量に関する情報が含まれる。また、図２に示した「課金情報生成装置アドレス」の代わりにパケット中継装置１３０のアドレスが含まれる。そして、パケット中継装置１３０では、破棄パケット情報が記録された破棄パケット専用ＣＤＲ１３０ａを、適宜、課金情報処理装置１５０へ送信するようにする。
【００３０】
課金情報処理装置１５０では、基地局装置１２０から送信された破棄パケット専用ＣＤＲ１２０ａと、パケット中継装置１３０から送信された破棄パケット専用ＣＤＲ１３０ａを受信するようにする。そして、課金情報生成装置１４０から送信されたＣＤＲ１４０ａに記録されている課金情報を、破棄パケット専用ＣＤＲ１２０ａ、１３０ａのいずれか一方又は両方に記録されている破棄パケット情報に基づいて修正するようにする。
【００３１】
図５は、上述の課金情報を修正する仕組みを実現する課金システム１００における、基地局装置１２０、パケット中継装置１３０、課金情報生成装置１４０、課金情報処理装置１５０の構成例を示す図である。
【００３２】
図５に示したように、基地局装置１２０は、パケット転送部１２１、破棄パケット情報・破棄パケット専用ＣＤＲ生成部（以下、単に「生成部」という）１２２、破棄パケット専用ＣＤＲ送信部（以下、単に「送信部」という）１２３を含む。
【００３３】
なお、パケット転送部１２１は、第１のデータ転送部又はデータ転送部の一例である。生成部１２２は、第１の生成部又は生成部の一例である。送信部１２３は、第１の送信部又は送信部の一例である。
【００３４】
パケット転送部１２１は、ＤＬパケット及びＵＬパケットを転送する。
生成部１２２は、基地局装置１２０の内部要因によりパケット転送部１２１で破棄されたＤＬパケットに関する情報である破棄パケット情報を、関連するセッション情報に基づいて生成する。なお、この破棄パケット情報は、少なくとも課金情報生成装置１４０を介して転送され且つパケット転送部１２１により転送されなかった端末装置宛データに関する転送不可データ情報の一例である。また、生成部１２２は、基地局装置１２０の内部要因によりパケット転送部１２１で破棄されたＤＬパケットに係るベアラ毎に、破棄パケット専用ＣＤＲ１２０ａを生成する。また、生成部１２２は、破棄パケット情報を、対応する破棄パケット専用ＣＤＲ１２０ａに記録する。
【００３５】
送信部１２３は、生成部１２２により破棄パケット情報が記録された破棄パケット専用ＣＤＲ１２０ａを課金情報処理装置１５０へ送信する。
同様に、パケット中継装置１３０は、パケット転送部１３１、破棄パケット情報・破棄パケット専用ＣＤＲ生成部（以下、単に「生成部」という）１３２、破棄パケット専用ＣＤＲ送信部（以下、単に「送信部」という）１３３を含む。
【００３６】
なお、パケット転送部１３１は、第２のデータ転送部又はデータ転送部の一例である。生成部１３２は、第２の生成部又は生成部の一例である。送信部１３３は、第２の送信部又は送信部の一例である。
【００３７】
パケット転送部１３１は、ＤＬパケット及びＵＬパケットを転送する。
生成部１３２は、パケット中継装置１３０の内部要因によりパケット転送部１３１で破棄されたＤＬパケットに関する情報である破棄パケット情報を、関連するセッション情報に基づいて生成する。なお、この破棄パケット情報は、少なくとも課金情報生成装置１４０を介して転送され且つパケット転送部１３１により転送されなかった端末装置宛データに関する転送不可データ情報の一例である。また、生成部１３２は、パケット中継装置１３０の内部要因によりパケット転送部１３１で破棄されたＤＬパケットに係るベアラ毎に、破棄パケット専用ＣＤＲ１３０ａを生成する。また、生成部１３２は、破棄パケット情報を、対応する破棄パケット専用ＣＤＲ１３０ａに記録する。
【００３８】
送信部１３３は、生成部１３２により破棄パケット情報が記録された破棄パケット専用ＣＤＲ１３０ａを課金情報処理装置１５０へ送信する。
課金情報生成装置１４０は、パケット転送部１４１、通過パケットの課金情報・ＣＤＲ生成部（以下、単に「生成部」という）１４２、ＣＤＲ送信部１４３を含む。
【００３９】
なお、パケット転送部１４１は、第３のデータ転送部の一例である。生成部１４２は、課金情報生成部の一例である。送信部１４３は、第３の送信部の一例である。
パケット転送部１４１は、ＤＬパケット及びＵＬパケットを転送する。
【００４０】
生成部１４２は、課金情報生成装置１４０を通過したパケットに関する情報である課金情報を生成する。なお、課金情報生成装置１４０を通過したパケットに関する情報とは、パケット転送部１４１が転送したパケットに基づく情報でもある。また、生成部１４２は、ベアラ毎にＣＤＲ１４０ａを生成する。また、生成部１４２は、課金情報を、対応するＣＤＲ１４０ａに記録する。
【００４１】
ＣＤＲ送信部１４３は、生成部１４２により課金情報が記録されたＣＤＲ１４０ａを課金情報処理装置１５０へ送信する。
課金情報処理装置１５０は、破棄パケット専用ＣＤＲ受信部（以下、単に「受信部」という）１５１、ＣＤＲ受信部１５２、課金情報修正部１５３、明細請求書データ作成部（以下、単に「作成部」という）１５４を含む。
【００４２】
なお、受信部１５１は、第２の受信部の一例である。ＣＤＲ受信部１５２は、第１の受信部の一例である。
受信部１５１は、基地局装置１２０から送信された破棄パケット専用ＣＤＲ１２０ａ、パケット中継装置１３０から送信された破棄パケット専用ＣＤＲ１３０ａを受信する。
【００４３】
ＣＤＲ受信部１５２は、課金情報生成装置１４０から送信されたＣＤＲ１４０ａを受信する。
課金情報修正部１５３は、受信部１５１により受信された破棄パケット専用ＣＤＲ１２０ａ、１３０ａ、ＣＤＲ受信部１５２により受信されたＣＤＲ１４０ａが記憶される記憶部１５３ａを含む。また、課金情報修正部１５３は、ＣＤＲ１４０ａに記録されている課金情報を、対応する破棄パケット専用ＣＤＲ１２０ａ、１３０ａに記録されている破棄パケット情報に基づいて修正する。
【００４４】
作成部１５４は、課金情報修正部１５３により修正された課金情報、又は、ＣＤＲ１４０ａに記録されている課金情報に基づいて、対応する加入者（端末装置１１０のユーザ）に対する明細請求書データの作成等を行う。
【００４５】
図６は、基地局装置１２０、パケット中継装置１３０が行う動作の一例を示すフローチャートである。ここでは、基地局装置１２０を例に説明するが、パケット中継装置１３０も同様の動作を行う。
【００４６】
図６に示したように、基地局装置１２０において、外部から転送されたＤＬパケットを受信すると（Ｓ１１０）、パケット転送部１２１は、そのＤＬパケットに関連するセッションが有るか否かを判定する（Ｓ１２０）。なお、セッションの有無は、当該基地局装置１２０が管理するセッション情報の中に、そのＤＬパケットに関連するセッション情報が有るか否かにより判定される。
【００４７】
Ｓ１２０の判定結果がＮｏの場合、パケット転送部１２１は、Ｓ１１０で受信したＤＬパケットを破棄し（Ｓ１３０）、本動作が終了する。
一方、Ｓ１２０の判定結果がＹｅｓの場合、パケット転送部１２１は、図示しないパケット転送用バッファメモリに対し、Ｓ１１０で受信したＤＬパケットの格納を行う（Ｓ１４０）。続いて、生成部１２２は、当該基地局装置１２０の内部要因により、そのＤＬパケットが破棄されたか否かを判定する（Ｓ１５０）。なお、当該基地局装置１２０の内部要因とは、例えば、パケット転送用バッファメモリのオーバーフロー等の要因である。
【００４８】
Ｓ１５０の判定結果がＹｅｓの場合、生成部１２２は、次のような処理を行う（Ｓ１６０）。生成部１２２は、まず、その破棄されたＤＬパケットに係るベアラに対応する破棄パケット専用ＣＤＲ１２０ａを生成する。但し、その破棄パケット専用ＣＤＲ１２０ａが既に生成されている場合には、その生成を行わない。また、生成部１２２は、その破棄されたＤＬパケットに係る情報である破棄パケット情報を生成する。また、生成部１２２は、その破棄パケット情報を、対応する破棄パケット専用ＣＤＲ１２０ａに記録する。この記録では、例えば、その破棄されたＤＬパケットのデータ量が、破棄パケット専用ＣＤＲ１２０ａに記録されている、破棄されたＤＬパケットのデータ量に加算される。そして、Ｓ１６０が終了すると、本動作が終了する。
【００４９】
一方、Ｓ１５０の判定結果がＮｏの場合、パケット転送部１２１は、Ｓ１４０でパケット転送用バッファメモリに格納されたＤＬパケットを転送し（Ｓ１７０）、本動作が終了する。
【００５０】
このようにして破棄パケット情報が記録された破棄パケット専用ＣＤＲ１２０ａは、その後、適宜、送信部１２３により課金情報処理装置１５０へ送信される。例えば、破棄パケット専用ＣＤＲ１２０ａがクローズされたら、その都度、送信される。或いは、例えば、一つ又は複数の、クローズされている破棄パケット専用ＣＤＲ１２０ａが、所定時間毎に送信される。
【００５１】
図７は、課金情報処理装置１５０が行う動作の一例を示すフローチャートである。
図７に示したように、課金情報処理装置１５０において、ＣＤＲ受信部１５２がＣＤＲ１４０ａを受信、又は、受信部１５１が破棄パケット専用ＣＤＲ１２０ａ或いは１３０ａを受信すると（Ｓ２１０）、それを記憶部１５３ａに一時的に記憶する（Ｓ２２０）。なお、ＣＤＲ１４０ａは、課金情報生成装置１４０から送信される。破棄パケット専用ＣＤＲ１２０ａは、基地局装置１２０から送信される。破棄パケット専用ＣＤＲ１３０ａは、パケット中継装置１３０から送信される。また、課金情報処理装置１５０は、タイマを備えており、Ｓ２１０での受信が行われると、所定時間が設定されたタイマをスタートさせる。但し、タイマが既にスタートしていた場合には、それを行わない。なお、タイマに設定される所定時間は、例えば、同一のベアラに対応するＣＤＲ１４０ａ、破棄パケット専用ＣＤＲ１２０ａ、１３０ａの全てが、記憶部１５３ａに記憶されるまでに必要な時間である。
【００５２】
Ｓ２２０の後、続いて、課金情報修正部１５３は、タイマ満了したか否かを判定する（Ｓ２３０）。ここで、その判定結果がＮｏの場合には、Ｓ２１０へ戻る。
一方、Ｓ２３０の判定結果がＹｅｓの場合、課金情報修正部１５３は、記憶部１５３ａから、未だ処理対象にされていないＣＤＲ１４０ａを取得する（Ｓ２４０）。そして、課金情報修正部１５３は、Ｓ２４０で取得されたＣＤＲ１４０ａに対応する破棄パケット専用ＣＤＲ１２０ａ、１３０ａが記憶部１５３ａに記憶されているか否かを判定する（Ｓ２５０）。ここで、Ｓ２４０で取得されたＣＤＲ１４０ａに対応する破棄パケット専用ＣＤＲ１２０ａ、１３０ａとは、例えば、「加入者識別子」が同じであり且つ「課金記録の開始時刻」が同じ（或いは略同じ）である破棄パケット専用ＣＤＲ１２０ａ、１３０ａのことである。Ｓ２５０の判定結果がＹｅｓの場合、課金情報修正部１５３は、次のような処理を行う。すなわち、課金情報修正部１５３は、Ｓ２５０で取得されたＣＤＲ１４０ａに記録されている課金情報を、そのＣＤＲ１４０ａに対応する破棄パケット専用ＣＤＲ１２０ａ、１３０ａに記録されている破棄パケット情報に基づいて修正する（Ｓ２６０）。この修正では、例えば、その課金情報に含まれるダウンリンク通過データ量から、その破棄パケット情報に含まれる、破棄されたＤＬパケットのデータ量が減算される。Ｓ２６０の後、又は、Ｓ２５０がＮｏの場合、続いて、課金情報修正部１５３は、未だ処理対象にされていないＣＤＲ１４０ａが記憶部１５３ａに記憶されているか否かを判定する（Ｓ２７０）。ここで、その判定結果がＹｅｓの場合には、Ｓ２４０へ戻り、Ｎｏの場合には、本動作が終了する。
【００５３】
このようにして課金情報が修正されたＣＤＲ１４０ａ、又は、課金情報の修正が行われなかったＣＤＲ１４０ａは、その後、明細請求書データ作成部１５４により、対応する加入者に対する明細請求書データの作成等に使用される。
【００５４】
以上、本実施形態に係る課金システム１００によれば、課金情報生成装置１４０を通過したＤＬパケットが基地局装置１２０やパケット中継装置１３０で当該装置の内部要因により破棄された場合には、ＣＤＲ１４０ａに記録されている課金情報が修正される。例えば、課金情報に含まれるダウンリンク通過データ量から、基地局装置１２０やパケット中継装置１３０で当該装置の内部要因により破棄されたＤＬパケットのデータ量が減算される。従って、基地局装置１２０やパケット中継装置１３０で当該装置の内部要因により破棄されたＤＬパケットに対して課金が行われるのが防止される。
【００５５】
なお、本実施形態に係る課金システム１００は、次のように変形してもよい。
例えば、本実施形態に係る課金システム１００では、ベアラレベルの課金制御が行われるものであったが、サービスフローレベルの課金制御が行われるように構成してもよい。但し、この場合には、課金情報生成装置１４０に通知されたＰＣＣが、基地局装置１２０、パケット中継装置１３０に通知されるように構成される。また、基地局装置１２０、パケット中継装置１３０では、通知されたＰＣＣに応じた、破棄パケット情報が記録された破棄パケット専用ＣＤＲが、課金情報処理装置１５０へ送信されるように構成される。
また、本実施形態に係る課金システム１００は、例えば、次のような３ＧＰＰで規定されている通信網に適用してもよい。
【００５６】
図８は、本実施形態に係る課金システム１００を、Ｅ−ＵＴＲＡＮ（Evolved Universal Terrestrial Radio Access Network）とＥＰＣ（Evolved Packet Core）ネットワークとを含む通信網に適用した例を示す図である。なお、この通信網は、無線アクセス網としてＥ−ＵＴＲＡＮを使用した時のＥＰＣネットワークを含む通信網でもある。
【００５７】
図８に示した通信網では、Ｅ−ＵＴＲＡＮ２１０において、端末装置２１１は、上記の端末装置１１０に対応する。ｅＮＢ（evolved Node B）２１２は、上記の基地局装置１２０の機能を含み、破棄パケット専用ＣＤＲ２１２ａは、上記の破棄パケット専用ＣＤＲ１２０ａに対応する。また、ＥＰＣ２２０において、ＳＧＷ（Serving Gateway）２２１は、上記のパケット中継装置１３０の機能を含み、破棄パケット専用ＣＤＲ２２１ａは、上記の破棄パケット専用ＣＤＲ１３０ａに対応する。ＰＧＷ（Packet data network Gateway）２２２は、上記の課金情報生成装置１４０の機能を含み、ＣＤＲ２２２ａは、上記のＣＤＲ１４０ａに対応する。
【００５８】
図８に示した通信網では、課金情報処理装置１５０は、ｅＮＢ２１２から送信された破棄パケット専用ＣＤＲ２１２ａ、ＳＧＷ２２１から送信された破棄パケット専用ＣＤＲ２２１ａ、ＰＧＷ２２２から送信されたＣＤＲ２２２ａを受信する。そして、課金情報処理装置１５０は、ＣＤＲ２２２ａに記録されている課金情報を、破棄パケット専用ＣＤＲ２２１ａ、２２２ａのいずれか一方又は両方に記録されている破棄パケット情報に基づいて修正する。
【００５９】
これにより、図８に示した通信網において、ｅＮＢ２１２、ＳＧＷ２２１の内部要因により破棄されたＤＬパケットに対して課金が行われるのが防止される。
【００６０】
図９は、本実施形態に係る課金システム１００を、ＵＴＲＡＮ（Universal Terrestrial Radio Access Network）とＧＰＲＳ（General Packet Radio Service）ネットワークとを含む通信網に適用した例を示す図である。なお、この通信網は、無線アクセス網としてＵＴＲＡＮを使用した時のＧＰＲＳネットワークを含む通信網でもある。
【００６１】
図９に示した通信網では、ＵＴＲＡＮ３１０において、端末装置３１１は、上記の端末装置１１０に対応する。ＮＢ（Node B）３１２は、上記の基地局装置１２０の機能を含み、破棄パケット専用ＣＤＲ３１２ａは、上記の破棄パケット専用ＣＤＲ１２０ａに対応する。ＲＮＣ（Radio Network Controller）３１３は、上記のパケット中継装置１３０の機能を含み、破棄パケット専用ＣＤＲ３１３ａは、上記の破棄パケット専用ＣＤＲ１３０ａに対応する。また、ＧＰＲＳ３２０において、ＳＧＳＮ（Serving GPRS Support Node）３２１は、上記のパケット中継装置１３０の機能を含み、破棄パケット専用ＣＤＲ３２１ａは、上記の破棄パケット専用ＣＤＲ１３０ａに対応する。ＧＧＳＮ（Gateway GPRS Support Node）３２２は、上記の課金情報生成装置１４０の機能を含み、ＣＤＲ３２２ａは、上記のＣＤＲ１４０ａに対応する。
【００６２】
図９に示した通信網では、課金情報処理装置１５０は、ＮＢ３１２から送信された破棄パケット専用ＣＤＲ３１２ａ、ＲＮＣ３１３から送信された破棄パケット専用ＣＤＲ３１３ａ、ＳＧＳＮ３２１から送信された破棄パケット専用ＣＤＲ３２１ａを受信する。また、課金情報処理装置１５０は、ＧＧＳＮ３２２から送信されたＣＤＲ３２２ａも受信する。そして、課金情報処理装置１５０は、ＣＤＲ３２２ａに記録されている課金情報を、破棄パケット専用ＣＤＲ３１２ａ、３１３ａ、３２１ａの一つ以上に記録されている破棄パケット情報に基づいて修正する。
【００６３】
これにより、図９に示した通信網において、ＮＢ３１２、ＲＮＣ３１３、ＳＧＳＮ３２１の内部要因により破棄されたＤＬパケットに対して課金が行われるのが防止される。
【００６４】
図１０は、本実施形態に係る課金システム１００を、ＵＴＲＡＮとＧＰＲＳネットワークとＥＰＣネットワークとを含む通信網に適用した例を示す図である。なお、この通信網は、無線アクセス網としてＵＴＲＡＮを使用した時のＥＰＣネットワークを含む通信網でもある。
【００６５】
図１０に示した通信網では、ＵＴＲＡＮ４１０において、端末装置４１１は、上記の端末装置１１０に対応する。ＮＢ４１２は、上記の基地局装置１２０の機能を含み、破棄パケット専用ＣＤＲ４１２ａは、上記の破棄パケット専用ＣＤＲ１２０ａに対応する。ＲＮＣ４１３は、上記のパケット中継装置１３０の機能を含み、破棄パケット専用ＣＤＲ４１３ａは、上記の破棄パケット専用ＣＤＲ１３０ａに対応する。また、ＧＰＲＳ４２０において、ＳＧＳＮ４２１は、上記のパケット中継装置１３０の機能を含み、破棄パケット専用ＣＤＲ４２１ａは、上記の破棄パケット専用ＣＤＲ１３０ａに対応する。さらに、ＥＰＣ４３０において、ＳＧＷ４３１は、上記のパケット中継装置１３０の機能を含み、破棄パケット専用ＣＤＲ４３１ａは、上記の破棄パケット専用ＣＤＲ１３０ａに対応する。ＰＧＷ４３２は、上記の課金情報生成装置１４０の機能を含み、ＣＤＲ４３２ａは、上記のＣＤＲ１４０ａに対応する。
【００６６】
図１０に示した通信網では、課金情報処理装置１５０は、ＮＢ４１２から送信された破棄パケット専用ＣＤＲ４１２ａ、ＲＮＣ４１３から送信された破棄パケット専用ＣＤＲ４１３ａ、ＳＧＳＮ４２１から送信された破棄パケット専用ＣＤＲ４２１ａを受信する。また、課金情報処理装置１５０は、ＳＧＷ４３１から送信された破棄パケット専用ＣＤＲ４３１ａ、ＰＧＷ４３２から送信されたＣＤＲ４３２ａも受信する。そして、課金情報処理装置１５０は、ＣＤＲ４３２ａに記録されている課金情報を、破棄パケット専用ＣＤＲ４１２ａ、４１３ａ、４２１ａ、４３１ａの一つ以上に記録されている破棄パケット情報に基づいて修正する。
【００６７】
これにより、図１０に示した通信網において、ＮＢ４１２、ＲＮＣ４１３、ＳＧＳＮ４２１、ＳＧＷ４３１の内部要因により破棄されたＤＬパケットに対して課金が行われるのが防止される。
【００６８】
なお、ＣＤＲを用いて課金情報を修正する仕組みとして、本実施形態に係る課金システム１００の他、次のような方法も考えられた。例えば、ＤＬパケットについては、ＣＤＲの生成を、課金情報生成装置ではなく基地局装置で行うようにする方法である。
【００６９】
図１１は、そのような方法を採用した場合の課金システムの一例を示す図である。
図１１に示したように、この課金システムでは、ＣＤＲが、ダウンリンク用ＣＤＲ（ＤＬ ＣＤＲ）とアップリンク用ＣＤＲ（ＵＬ ＣＤＲ）というように、ダウンリンクとアップリンクで別々に生成される。また、この課金システムでは、基地局装置毎にＤＬ ＣＤＲが生成されるようになるので、通信中の端末装置(例えば携帯電話機)が移動して利用する基地局装置が切り替わる毎に、生成されるＣＤＲの数が増大する。従って、この課金システムでは、ＣＤＲ数の大幅な増加により、明細センタの課金情報処理装置では、受信したＣＤＲを一時的に記憶するための記憶部の容量を超過する懸念がある。
【００７０】
これに対し、本実施形態に係る課金システム１００では、破棄パケット専用ＣＤＲ１２０ａ、１３０ａが、基地局装置１２０、パケット中継装置１３０において破棄されたＤＬパケットに係るベアラ毎に生成される。従って、破棄パケット専用ＣＤＲ１２０ａ、１３０ａは、ＤＬパケットが破棄されていないベアラに対しては生成されない。よって、生成される破棄パケット専用ＣＤＲの数は、上記の方法にてＤＬパケットについて生成されるＤＬ ＣＤＲの数に比べて十分に少なくて済み、上記のような懸念は生じない。
【００７１】
＜第２の実施形態＞
第２の実施形態に係る課金システムは、課金情報を修正する仕組みが、第１の実施形態に係る課金システムと異なっている。本実施形態に係る課金システムでは、パケット中継装置や基地局装置において、少なくとも当該装置の内部要因によりＤＬパケットが破棄された場合や装置間状態不整合により関連するセッションが無いためにＤＬパケットが破棄された場合に課金情報が修正される。
【００７２】
なお、本実施形態では、課金システム、端末装置、基地局装置、パケット中継装置、課金情報生成装置、明細センタの課金情報処理装置に対し、符号５００、５１０、５２０、５３０、５４０、５５０を付して説明する。
【００７３】
図１２は、本実施形態に係る課金システム５００における、課金情報を修正する仕組みの一例を説明する図である。
図１２に示したように、基地局装置５２０では、当該装置で破棄されたＤＬパケットに関する情報である破棄パケット情報を、その破棄されたＤＬパケットの転送元装置へ送信するようにする。なお、破棄パケット情報は、転送不可データ情報の一例である。破棄パケット情報には、そのＤＬパケットの破棄された時刻である破棄パケット時刻と、その破棄されたＤＬパケットのデータ量に関する情報が含まれる。また、その破棄されたＤＬパケットの転送元装置は、例えば、そのＤＬパケットがパケット中継装置５３０から転送されたものである場合には、そのパケット中継装置５３０となる。
【００７４】
パケット中継装置５３０では、当該装置で破棄されたＤＬパケットに関する情報である破棄パケット情報を、その破棄されたＤＬパケットの転送元装置へ送信するようにする。なお、破棄パケット情報は、転送不可データ情報の一例である。破棄パケット情報には、そのＤＬパケットの破棄された時刻である破棄パケット時刻と、その破棄されたＤＬパケットのデータ量に関する情報が含まれる。また、また、その破棄されたＤＬパケットの転送元装置は、例えば、そのＤＬパケットが課金情報生成装置５４０から転送されたものである場合には、その課金情報生成装置５４０となる。また、パケット中継装置５３０では、その破棄パケット情報と、転送したＤＬパケットの転送先装置から送信された破棄パケット情報とをマージしたものを、そのＤＬパケットの転送元装置へ送信するようにしてもよい。なお、その転送したＤＬパケットの転送先装置は、例えば、そのＤＬパケットを基地局装置５２０へ転送した場合には、その基地局装置５２０となる。また、パケット中継装置５３０では、転送したＤＬパケットの転送先装置から送信された破棄パケット情報を、そのＤＬパケットの転送元装置へ送信するようにしてもよい。
【００７５】
なお、図１２において、基地局装置５２０からパケット中継装置５３０への矢印、パケット中継装置５３０から課金情報生成装置５４０への矢印は、破棄パケット情報の流れを示している。
【００７６】
課金情報生成装置５４０では、課金情報を、転送したＤＬパケットの転送先装置から送信された破棄パケット情報に基づいて修正するようにする。なお、その転送したＤＬパケットの転送先装置は、例えば、そのＤＬパケットをパケット中継装置５３０へ転送した場合には、そのパケット中継装置５３０となる。そして、例えば、修正された課金情報を記録したＣＤＲ５４０ａを課金情報処理装置５５０へ送信するようにする。
【００７７】
課金情報処理装置５５０では、課金情報生成装置５４０から送信されたＣＤＲ５４０ａに記録されている課金情報に基づいて、対応する加入者（端末装置５１０のユーザ）に対する明細請求書データの作成等を行う。
【００７８】
図１３は、基地局装置５２０の構成例を示す図である。
図１３に示したように、基地局装置５２０は、パケット転送部５２１、破棄パケット情報生成部５２２、破棄パケット情報記憶部５２３、破棄パケット情報読み出し部５２４、破棄パケット情報送信部５２５を含む。
【００７９】
なお、パケット転送部５２１は、第１のデータ転送部又はデータ転送部の一例である。破棄パケット情報生成部５２２は、第１の生成部又は生成部の一例である。破棄パケット情報送信部５２５は、第１の送信部又は送信部の一例である。
【００８０】
パケット転送部５２１は、ＤＬパケット及びＵＬパケットを転送する。また、パケット転送部５２１は、パケット破棄判定部５２１ａ、パケット転送可否判定部５２１ｂを含む。パケット破棄判定部５２１ａは、送信予定（転送予定）のＤＬパケットが当該装置の内部要因により破棄されたか否かを判定する。パケット転送可否判定部５２１ｂは、受信したＤＬパケット（転送されたＤＬパケット）の転送可否を判定する。なお、この転送可否は、そのＤＬパケットに関連するセッションの有無によって判定される。また、受信したＤＬパケットの転送ができなかった場合、そのＤＬパケットは破棄されることになる。
【００８１】
破棄パケット情報生成部５２２は、パケット破棄判定部５２１ａとパケット転送可否判定部５２１ｂの判定結果に基づき、破棄パケット情報を生成し、破棄パケット情報記憶部５２３に記憶する。例えば、パケット破棄判定部５２１ａにより、送信予定のＤＬパケットが破棄されたと判定された場合には、そのＤＬパケットの情報を破棄パケット情報として生成し、破棄パケット情報記憶部５２３に記憶する。また、例えば、パケット転送可否判定部５２１ｂにより、受信したＤＬパケットが転送できないと判定された場合には、そのＤＬパケットの情報を破棄パケット情報として生成し、破棄パケット情報記憶部５２３に記憶する。なお、破棄パケット情報生成部５２２により生成される破棄パケット情報は、少なくとも課金情報生成装置５４０を介して転送され且つパケット転送部５２１により転送されなかった端末装置宛データに関する転送不可データ情報の一例である。
【００８２】
破棄パケット情報読み出し部５２４は、破棄パケット情報記憶部５２３から破棄パケット情報を読み出す。
破棄パケット情報送信部５２５は、破棄パケット情報読み出し部５２４により読み出された破棄パケット情報を、当該破棄パケット情報に係る転送不可のＤＬパケットの転送元装置へ送信する。
【００８３】
図１４は、パケット中継装置５３０の構成例を示す図である。
図１４に示したように、パケット中継装置５３０は、パケット転送部５３１、破棄パケット情報生成部５３２、破棄パケット情報記憶部５３３、破棄パケット情報読み出し部５３４、破棄パケット情報送信部５３５を含む。また、パケット中継装置５３０は、破棄パケット情報受信部５３６、破棄パケット情報マージ部５３７も含む。
【００８４】
なお、パケット転送部５３１は、第２のデータ転送部又はデータ転送部の一例である。破棄パケット情報生成部５３２は、第２の生成部又は生成部の一例である。破棄パケット情報送信部５３５は、第２の送信部又は送信部の一例である。破棄パケット情報受信部５３６は、第１の受信部又は受信部の一例である。破棄パケット情報マージ部５３７は、マージ部の一例である。
【００８５】
パケット転送部５３１は、ＤＬパケット及びＵＬパケットを転送する。また、パケット転送部５３１は、パケット破棄判定部５３１ａ、パケット転送可否判定部５３１ｂを含む。パケット破棄判定部５３１ａは、送信予定（転送予定）のＤＬパケットが当該装置の内部要因により破棄されたか否かを判定する。パケット転送可否判定部５３１ｂは、受信したＤＬパケット（転送されたＤＬパケット）の転送可否を判定する。なお、この転送可否は、そのＤＬパケットに関連するセッションの有無によって判定される。また、受信したＤＬパケットの転送ができなかった場合、そのＤＬパケットは破棄されることになる。
【００８６】
破棄パケット情報生成部５３２は、パケット破棄判定部５３１ａとパケット転送可否判定部５３１ｂの判定結果に基づき、破棄パケット情報を生成し、破棄パケット情報記憶部５３３に記憶する。例えば、パケット破棄判定部５３１ａにより、送信予定のＤＬパケットが破棄されたと判定された場合には、そのＤＬパケットの情報を破棄パケット情報として生成し、破棄パケット情報記憶部５３３に記憶する。また、例えば、パケット転送可否判定部５３１ｂにより、受信したＤＬパケットが転送できないと判定された場合には、そのＤＬパケットの情報を破棄パケット情報として生成し、破棄パケット情報記憶部５３３に記憶する。なお、破棄パケット情報生成部５３２により生成される破棄パケット情報は、少なくとも課金情報生成装置５４０を介して転送され且つパケット転送部５３１により転送されなかった端末装置宛データに関する転送不可データ情報の一例である。
【００８７】
破棄パケット情報読み出し部５３４は、破棄パケット情報記憶部５３３から破棄パケット情報を読み出す。
破棄パケット情報受信部５３６は、パケット転送部５３１が転送したＤＬパケットの転送先装置から送信された破棄パケット情報を受信する。
【００８８】
破棄パケット情報マージ部５３７は、破棄パケット情報受信部５３６により受信された破棄パケット情報と、破棄パケット情報記憶部５３３に記憶されている、対応する破棄パケット情報とをマージする。なお、対応する破棄パケット情報とは、破棄パケット情報受信部５３６により受信された破棄パケット情報に係る転送不可のＤＬパケットのベアラと同じベアラでの転送不可のＤＬパケットに係る破棄パケット情報のことである。
【００８９】
破棄パケット情報送信部５２５は、破棄パケット情報読み出し部５２４により読み出された破棄パケット情報を、当該破棄パケット情報に係る転送不可のＤＬパケットの転送元装置へ送信する。或いは、破棄パケット情報送信部５２５は、破棄パケット情報マージ部５３７によりマージされた破棄パケット情報を、当該破棄パケット情報に係る転送不可のＤＬパケットの転送元装置へ送信する。また、破棄パケット情報送信部５２５は、破棄パケット情報受信部５３６により受信された破棄パケット情報を、そのまま、当該破棄パケット情報に係る転送不可のＤＬパケットの転送元装置へ送信するようにしてもよい。
【００９０】
図１５は、課金情報生成装置５４０の構成例を示す図である。
課金情報生成装置５４０は、パケット転送部５４１、通過パケットの課金情報・ＣＤＲ生成部（以下、単に「生成部」という）５４２、課金情報記憶部５４３、破棄パケット情報受信部５４４、課金情報修正部５４５、ＣＤＲ送信部５４６を含む。
【００９１】
なお、パケット転送部５４１は、第３のデータ転送部又はデータ転送部の一例である。生成部５４２は、課金情報生成部の一例である。破棄パケット情報受信部５４４は、第２の受信部又は受信部の一例である。ＣＤＲ送信部５４６は、送信部の一例である。
【００９２】
パケット転送部５４１は、ＤＬパケット及びＵＬパケットを転送する。
生成部５４２は、ベアラ毎にＣＤＲ５４０ａを生成し、課金情報記憶部５４３に記憶する。また、生成部５４２は、課金情報生成装置５４０を通過したパケットに関する情報である課金情報を生成し、課金情報記憶部５４３に記憶されている、対応するＣＤＲ５４０ａに記録する。この記録では、例えば、課金情報生成装置５４０を通過したＤＬパケットのデータ量が、対応するＣＤＲ５４０ａに記録されている課金情報に含まれるダウンリンク通過データ量に加算される。なお、課金情報生成装置５４０を通過したパケットに関する情報とは、パケット転送部５４１が転送したパケットに基づく情報でもある。
【００９３】
破棄パケット情報受信部５４４は、パケット転送部５４１が転送したＤＬパケットの転送先装置から送信された破棄パケット情報を受信する。
課金情報修正部５４５は、破棄パケット情報受信部５４４により受信された破棄パケット情報に基づいて、課金情報記憶部５４３に記憶されている、対応するＣＤＲ５４０ａに記録されている課金情報を修正する。なお、対応するＣＤＲ５４０ａとは、破棄パケット情報に係る転送不可のＤＬパケットのベアラに対応するＣＤＲ５４０ａのことである。また、対応するＣＤＲ５４０ａとは、当該ＣＤＲ５４０ａに記録されている課金情報の記録期間中に、破棄パケット情報に含まれるパケット破棄時刻が含まれるものでもある。ここで、ＣＤＲ５４０ａに記録されている課金情報の記録期間中に、破棄パケット情報に含まれるパケット破棄時刻が含まれるか否かは、その課金情報に含まれる「課金記録の開始時刻」、「課金記録時間」等に関する情報から判定すればよい。
【００９４】
ＣＤＲ送信部５４６は、課金情報記憶部５４３に記憶されているＣＤＲ５４０ａを課金情報処理装置５５０へ送信する。例えば、ＣＤＲ送信部５４６は、課金情報修正部５４５により修正された課金情報が記録されたＣＤＲ５４０ａや、課金情報修正部５４５により修正されなかった課金情報が記録されたＣＤＲ５４０ａを送信する。
【００９５】
そして、課金情報処理装置５５０では、課金情報生成装置５４０から送信されたＣＤＲ５４０ａに記録されている課金情報に基づいて、対応する加入者（端末装置５１０のユーザ）に対する明細請求書データの作成等が行われる。
【００９６】
図１６は、基地局装置５２０が行う動作の一例を示すフローチャートである。
図１６に示したように、基地局装置５２０において、外部から転送されたＤＬパケットを受信すると（Ｓ３１０）、パケット転送部５２１のパケット転送可否判定部５２１ｂは、そのＤＬパケットに対応するセッションが有るか否かを判定する（Ｓ３２０）。なお、セッションの有無は、当該基地局装置５２０が管理するセッション情報の中に、そのＤＬパケットに関連するセッション情報が有るか否かにより判定される。
【００９７】
Ｓ３２０の判定結果がＮｏの場合、パケット転送部５２１は、Ｓ３１０で受信したＤＬパケットを破棄し（Ｓ３３０）、Ｓ３７０へ処理が進む。
一方、Ｓ３２０の判定結果がＹｅｓの場合、パケット転送部５２１は、図示しないパケット転送用バッファメモリに対し、Ｓ３１０で受信したＤＬパケットの格納を行う（Ｓ３４０）。続いて、パケット転送部５２１のパケット破棄判定部５２１ａは、当該基地局装置５２０の内部要因により、そのＤＬパケットが破棄されたか否かを判定する（Ｓ３５０）。なお、当該基地局装置５２０の内部要因とは、例えば、パケット転送用バッファメモリのオーバーフロー等の要因である。
【００９８】
Ｓ３５０の判定結果がＮｏの場合、パケット転送部５２１は、Ｓ３４０でパケット転送用バッファメモリに格納されたＤＬパケットを転送し（Ｓ３６０）、本動作が終了する。
一方、Ｓ３５０の判定結果がＹｅｓの場合、又は、Ｓ３３０の後、生成部５２２は、その破棄されたＤＬパケットに係る情報である破棄パケット情報を生成し、破棄パケット情報記憶部５２３に記憶する（Ｓ３７０）。なお、生成される破棄パケット情報には、そのＤＬパケットが破棄された時刻と、その破棄されたＤＬパケットのデータ量に関する情報が含まれる。続いて、破棄パケット情報読み出し部５２４は、その破棄パケット情報を破棄パケット情報記憶部５２３から読み出す。そして、破棄パケット情報送信部５２５は、その破棄パケット情報を、当該破棄パケット情報に係る転送不可のＤＬパケットの転送元装置へ送信し（Ｓ３８０）、本動作が終了する。
【００９９】
図１７は、パケット中継装置５３０が行う動作の一例を示すフローチャートである。
図１７に示したように、パケット中継装置５３０において、Ｓ４１０乃至Ｓ４６０は、図１６に示したＳ３１０乃至Ｓ３６０と同様の動作となる。そして、Ｓ４５０がＹｅｓの場合、又は、Ｓ４３０の後、生成部５３２は、その破棄されたＤＬパケットに係る情報である破棄パケット情報を生成し、破棄パケット情報記憶部５３３に記憶する（Ｓ４７０）。なお、生成される破棄パケット情報には、そのＤＬパケットが破棄された時刻と、その破棄されたＤＬパケットのデータ量に関する情報が含まれる。続いて、破棄パケット情報マージ部５３７は、マージする破棄パケット情報が有るか否かを判定する（Ｓ４８０）。この判定は、例えば、破棄パケット情報記憶部５３３に、破棄パケット情報受信部５３６により受信された破棄パケット情報に対応する破棄パケット情報が有るか否かを判定することによって行われる。Ｓ４８０の判定結果がＹｅｓの場合、破棄パケット情報マージ部５３７は、破棄パケット情報受信部５３６により受信された破棄パケット情報と、破棄パケット情報記憶部５３３に記憶されている、対応する破棄パケット情報とをマージする(Ｓ４９０)。そして、破棄パケット情報送信部５３５は、Ｓ４９０でマージされた破棄パケット情報を、当該破棄パケット情報に係る転送不可のＤＬパケットの転送元装置へ送信し（Ｓ５００）、本動作が終了する。
【０１００】
一方、Ｓ４８０の判定結果がＮｏの場合、Ｓ４７０で破棄パケット情報記憶部５３３に記憶された破棄パケット情報を、当該破棄パケット情報に係る転送不可のＤＬパケットの転送元装置へ送信し（Ｓ５００）、本動作が終了する。
【０１０１】
図１８は、課金情報生成装置５４０が行う動作の一例を示すフローチャートである。
図１８に示したように、課金情報生成装置５４０において、破棄パケット情報受信部５４４が、パケット転送部５４１により転送されたＤＬパケットの転送先装置から送信された破棄パケット情報を受信すると（Ｓ５１０）、次のような処理が行われる。課金情報修正部５４５は、Ｓ５１０で破棄パケット情報受信部５４４により受信された破棄パケット情報に基づいて、課金情報記憶部５４３に記憶されている、対応するＣＤＲ５４０ａに記録されている課金情報を修正する（Ｓ５２０）。なお、対応するＣＤＲ５４０ａとは、破棄パケット情報に係る転送不可のＤＬパケットのベアラに対応するＣＤＲ５４０ａのことである。また、対応するＣＤＲ５４０ａとは、当該ＣＤＲ５４０ａに記録されている課金情報の記録期間中に、破棄パケット情報に含まれるパケット破棄時刻が含まれるものでもある。Ｓ５２０での修正では、例えば、その課金情報に含まれるダウンリンク通過データ量から、その破棄パケット情報に含まれる、破棄されたＤＬパケットのデータ量が減算される。Ｓ５２０の後は、本動作が終了する。このようにして課金情報が修正されたＣＤＲ５４０ａは、その後、課金情報処理装置５４０へ送信され、課金情報処理装置５４０により、その課金情報に基づいて、対応する加入者に対する明細請求書データの作成等が行われる。
【０１０２】
以上、本実施形態に係る課金システム５００によれば、課金情報生成装置５４０を通過したＤＬパケットが基地局装置５２０やパケット中継装置５３０で破棄された場合には、ＣＤＲ５４０ａに記録されている課金情報が修正される。なお、ＤＬパケットが破棄された場合とは、少なくとも基地局装置５２０やパケット中継装置５３０において当該装置の内部要因によりＤＬパケットが破棄された場合や装置間状態不整合により関連するセッションが無いためにＤＬパケットが破棄された場合である。また、課金情報の修正では、例えば、当該課金情報に含まれるダウンリンク通過データ量から、基地局装置５２０やパケット中継装置５３０で破棄されたＤＬパケットのデータ量が減算される。従って、基地局装置５２０やパケット中継装置５３０で破棄されたＤＬパケットに対して課金が行われるのが防止される。
【０１０３】
また、本実施形態に係る課金システム５００によれば、例えば、ネットワークの接続構成やＰＣＣの仕組みを３ＧＰＰにて標準化されている仕様から変更することなく、上記の課金情報を修正する仕組みが実現される。
【０１０４】
なお、本実施形態に係る課金システム５００は、次のように変形してもよい。
例えば、基地局装置５２０とパケット中継装置５３０の各装置において、所定時間単位（例えば秒単位）に同一ベアラで破棄されたＤＬパケットが複数ある場合には、それらに関してまとめて一つの破棄パケット情報とするようにしてもよい。但し、この場合には、その破棄パケット情報に、破棄された複数のＤＬパケットのパケットサイズを足し合わせた合計パケットサイズの情報が含まれる。
【０１０５】
また、例えば、課金システム５００において、サービスフローレベルの課金制御が行われるように構成してもよい。但し、この場合、基地局装置５２０、パケット中継装置５３０で生成される破棄パケット情報には、破棄パケット時刻、破棄されたＤＬパケットのデータ量に関する情報の他、次のような情報も含まれる。すなわち、破棄されたＤＬパケットの送信元アドレス、送信元ポート、宛先アドレス、宛先ポート、プロトコルＩＤに関する情報も含まれる。また、この場合、課金情報生成装置５４０において、ＣＤＲ５４０ａに記録される課金情報に含まれる「ダウンリンク通過データ量」に関する情報は、対応するベアラに適用されたＰＣＣに基づいて、サービスフロー毎に設けられる。また、課金情報修正部５４５は、さらに、次のような処理も行う。すなわち、課金情報修正部５４５は、破棄パケット情報受信部５４４により受信された破棄パケット情報と、当該破棄パケット情報に係る転送不可のＤＬパケットのベアラに適用されたＰＣＣとに基づいて、そのＤＬパケットに係るサービスフローを識別する。例えば、その破棄パケット情報に含まれる、破棄されたＤＬパケットの送信元アドレス、送信元ポート、宛先アドレス、宛先ポート、プロトコルＩＤに関する情報と、そのＤＬパケットのベアラに適用されたＰＣＣとに基づいて、サービスフローが識別される。そして、課金情報修正部５４５は、対応するＣＤＲ５４０ａに記録されている課金情報に含まれる、識別されたサービスフローに対応するダウンリンク通過データ量から、その受信された破棄パケット情報に含まれる、破棄されたＤＬパケットのデータ量が減算される。
【０１０６】
また、このようにサービスフローレベルの課金制御が行われる課金システム５００における基地局装置５２０とパケット中継装置５３０の各装置において、次のようにしてもよい。すなわち、その各装置において、所定時間単位（例えば秒単位）に同一ベアラで破棄されたＤＬパケットが複数ある場合には、それらに関してまとめて一つの破棄パケット情報とするようにしてもよい。但し、この場合、その破棄された複数のＤＬパケットの送信元アドレス、送信元ポート、宛先アドレス、宛先ポート、プロトコルＩＤは同一である。また、一つにまとめられた破棄パケット情報には、その破棄された複数のＤＬパケットのパケットサイズを足し合わせた合計パケットサイズの情報が含まれる。
【０１０７】
また、本実施形態に係る課金システム５００は、例えば、次のような３ＧＰＰで規定されている通信網に適用してもよい。
【０１０８】
図１９は、本実施形態に係る課金システム５００を、Ｅ−ＵＴＲＡＮとＥＰＣネットワークとを含む通信網に適用した例を示す図である。なお、この通信網は、無線アクセス網としてＥ−ＵＴＲＡＮを使用した時のＥＰＣネットワークを含む通信網でもある。
【０１０９】
図１９に示した通信網では、Ｅ−ＵＴＲＡＮ６１０において、端末装置６１１は、上記の端末装置５１０に対応する。ｅＮＢ６１２は、上記の基地局装置５２０の機能を含む。また、ＥＰＣ６２０において、ＳＧＷ６２１は、上記のパケット中継装置５３０の機能を含む。ＰＧＷ６２２は、上記の課金情報生成装置５４０の機能を含み、ＣＤＲ６２２ａは、上記のＣＤＲ５４０ａに対応する。
【０１１０】
図１９に示した通信網では、ｅＮＢ６１２から送信された破棄パケット情報をＳＧＷ６２１が受信し、ＳＧＷ６２１から送信された破棄パケット情報をＰＧＷ６２２が受信する。そして、ＰＧＷ６２２は、受信した破棄パケット情報に基づいて、ＣＤＲ６２２ａに記録されている課金情報を修正する。なお、ｅＮＢ６１２からＳＧＷ６２１への矢印、ＳＧＷ６２１からＰＧＷ６２２への矢印は、破棄パケット情報の流れを示している。
【０１１１】
これにより、図１９に示した通信網におけるｅＮＢ６１２、ＳＧＷ６２１において、当該装置の内部要因や装置間状態不整合により関連するセッションが無いという理由により破棄されたＤＬパケットに対して課金が行われるのが防止される。
【０１１２】
図２０は、本実施形態に係る課金システム５００を、ＵＴＲＡＮとＧＰＲＳネットワークとを含む通信網に適用した例を示す図である。なお、この通信網は、無線アクセス網としてＵＴＲＡＮを使用した時のＧＰＲＳネットワークを含む通信網でもある。
【０１１３】
図２０に示した通信網では、ＵＴＲＡＮ７１０において、端末装置７１１は、上記の端末装置５１０に対応する。ＮＢ７１２は、上記の基地局装置５２０の機能を含む。ＲＮＣ７１３は、上記のパケット中継装置５３０の機能を含む。また、ＧＰＲＳ７２０において、ＳＧＳＮ７２１は、上記のパケット中継装置５３０の機能を含む。ＧＧＳＮ７２２は、上記の課金情報生成装置５４０の機能を含み、ＣＤＲ７２２ａは、上記のＣＤＲ５４０ａに対応する。
【０１１４】
図２０に示した通信網では、ＮＢ７１２から送信された破棄パケット情報をＲＮＣ７１３が受信し、ＲＮＣ７１３から送信された破棄パケット情報をＳＧＳＮ７２１が受信し、ＳＧＳＮ７２１から送信された破棄パケット情報をＧＧＳＮ７２２が受信する。そして、ＧＧＳＮ７２２は、受信した破棄パケット情報に基づいて、ＣＤＲ７２２ａに記録されている課金情報を修正する。なお、ＮＢ７１２からＲＮＣ７１３への矢印、ＲＮＣ７１３からＳＧＳＮ７２１への矢印、ＳＧＳＮ７２１からＧＧＳＮ７２２への矢印は、破棄パケット情報の流れを示している。
【０１１５】
これにより、図２０に示した通信網におけるＮＢ７１２、ＲＮＣ７１３、ＳＧＳＮ７２１において、当該装置の内部要因や装置間状態不整合により関連するセッションが無いという理由により破棄されたＤＬパケットに対して課金が行われるのが防止される。
【０１１６】
図２１は、本実施形態に係る課金システム５００を、ＵＴＲＡＮとＧＰＲＳネットワークとＥＰＣネットワークとを含む通信網に適用した例を示す図である。なお、この通信網は、無線アクセス網としてＵＴＲＡＮを使用した時のＥＰＣネットワークを含む通信網でもある。
【０１１７】
図２１に示した通信網では、ＵＴＲＡＮ８１０において、端末装置８１１は、上記の端末装置５１０に対応する。ＮＢ８１２は、上記の基地局装置５２０の機能を含む。ＲＮＣ８１３は、上記のパケット中継装置５３０の機能を含む。また、ＧＰＲＳ８２０において、ＳＧＳＮ８２１は、上記のパケット中継装置５３０の機能を含む。さらに、ＥＰＣ８３０において、ＳＧＷ８３１は、上記のパケット中継装置５３０の機能を含む。ＰＧＷ８３２は、上記の課金情報生成装置５４０の機能を含み、ＣＤＲ８３２ａは、上記のＣＤＲ５４０ａに対応する。
【０１１８】
図２１に示した通信網では、ＮＢ８１２から送信された破棄パケット情報をＲＮＣ８１３が受信し、ＲＮＣ８１３から送信された破棄パケット情報をＳＧＳＮ８２１が受信する。また、ＳＧＳＮ８２１から送信された破棄パケット情報をＳＧＷ８３１が受信し、ＳＧＷ８３１から送信された破棄パケット情報をＰＧＷ８３２が受信する。そして、ＰＧＷ８３２は、受信した破棄パケット情報に基づいて、ＣＤＲ８３２ａに記録されている課金情報を修正する。なお、ＮＢ８１２からＲＮＣ８１３への矢印、ＲＮＣ８１３からＳＧＳＮ８２１への矢印、ＳＧＳＮ８２１からＳＧＷ８３１への矢印、ＳＧＷ８３１からＰＧＷ８３２への矢印は、破棄パケット情報の流れを示している。
【０１１９】
これにより、図２１に示した通信網のＮＢ８１２、ＲＮＣ８１３、ＳＧＳＮ８２１、ＳＧＷ８３１において、当該装置の内部要因や装置間状態不整合により関連するセッションが無いという理由により破棄されたＤＬパケットに対して課金が行われるのが防止される。
【０１２０】
以上、第１の実施形態に係る課金システム１００、及び、第２の実施形態に係る課金システム５００について説明した。第１の実施形態に係る課金システム１００に含まれる、基地局装置１２０、パケット中継装置１３０、課金情報生成装置１４０、課金情報処理装置１５０は、図２２に示すようなコンピュータによって実現してもよい。また、第２の実施形態に係る課金システム５００に含まれる、基地局装置５２０、パケット中継装置５３０、課金情報生成装置５４０、課金情報処理装置５５０も、図２２に示すようなコンピュータによって実現してもよい。
【０１２１】
図２２は、そのコンピュータの構成例を示す図である。
図２２に示したように、このコンピュータ９００は、ＣＰＵ９０１、ＲＯＭ９０２、ＲＡＭ９０３、通信インタフェース９０４、記憶装置９０５、入出力装置９０６、可搬型記憶媒体の読取り装置９０７、及び、これらの全てが接続されたバス９０８を含む。なお、ＣＰＵは Central Processing Unit であり、ＲＯＭは Read Only Memory であり、ＲＡＭは Random Access Memory である。
【０１２２】
記憶装置９０５としてはハードディスク、磁気ディスクなど様々な形式の記憶装置を使用することができる。記憶装置９０５、またはＲＯＭ９０２に、当該コンピュータ９００によって実現する装置が行う動作のためのプログラムや各種データが格納され、そのプログラムがＣＰＵ９０１によって実行される。また、そのプログラムは、プログラム提供者端末装置９０９からネットワーク９１０、および通信インタフェース９０４を介して、例えば記憶装置９０５に格納されて、ＣＰＵ９０１によって実行されるようにしてもよい。また、市販され、流通している可搬型記憶媒体９１１に格納され、読取り装置９０７にセットされて、ＣＰＵ９０１によって実行されるようにしてもよい。可搬型記憶媒体９１１としてはＣＤ−ＲＯＭ、フレキシブルディスク、光ディスク、光磁気ディスク、ＤＶＤディスク、ＵＳＢメモリなど様々な形式の記憶媒体のいずれでもよい。なお、ＣＤ−ＲＯＭはCompact Disc Read Only Memoryであり、ＤＶＤはDigital Versatile Diskであり、ＵＳＢはUniversal Serial Busである。入出力装置９０６は、例えばキーボード、ポインティングデバイス、タッチパネル等の入力装置と、例えばディスプレイ、プリンタ、スピーカ等の出力装置を含む。
【０１２３】
図２２に示したコンピュータ９００により基地局装置１２０を実現する場合、パケット転送部１２１、送信部１２３は、例えば、ＣＰＵ９０１が通信インタフェース９０４と協働しながらプログラムを実行することで実現される。また、生成部１２２は、例えば、ＣＰＵ９０１がプログラムを実行することで実現される。
【０１２４】
また、図２２に示したコンピュータ９００によりパケット中継装置１３０を実現する場合、パケット転送部１３１、送信部１３３は、例えば、ＣＰＵ９０１が通信インタフェース９０４と協働しながらプログラムを実行することで実現される。また、生成部１３２は、例えば、ＣＰＵ９０１がプログラムを実行することで実現される。
【０１２５】
また、図２２に示したコンピュータ９００により課金情報生成装置１４０を実現する場合、パケット転送部１４１、ＣＤＲ送信部１４３は、例えば、ＣＰＵ９０１が通信インタフェース９０４と協働しながらプログラムを実行することで実現される。また、生成部１４２は、例えば、ＣＰＵ９０１がプログラムを実行することで実現される。
【０１２６】
また、図２２に示したコンピュータ９００により課金情報処理装置１５０を実現する場合、受信部１５１、ＣＤＲ受信部１５２は、例えば、ＣＰＵ９０１が通信インタフェース９０４と協働しながらプログラムを実行することで実現される。また、課金情報修正部１５３、明細請求書データ作成部１５４は、例えば、ＣＰＵ９０１がプログラムを実行することで実現される。記憶部１５３ａは、例えば、ＲＡＭ９０３や記憶装置９０５によって実現される。
【０１２７】
また、図２２に示したコンピュータ９００により基地局装置５２０を実現する場合、パケット転送部５２１、破棄パケット情報送信部５２５は、例えば、ＣＰＵ９０１が通信インタフェース９０４と協働しながらプログラムを実行することで実現される。また、破棄パケット情報生成部５２２、破棄パケット情報読み出し部５２４は、例えば、ＣＰＵ９０１がプログラムを実行することで実現される。また、破棄パケット情報記憶部５２３は、例えば、ＲＡＭ９０３や記憶装置９０５によって実現される。
【０１２８】
また、図２２に示したコンピュータ９００によりパケット中継装置５３０を実現する場合、パケット転送部５３１、破棄パケット情報受信部５３６は、例えば、ＣＰＵ９０１が通信インタフェース９０４と協働しながらプログラムを実行することで実現される。また、破棄パケット情報送信部５３５も、例えば、ＣＰＵ９０１が通信インタフェース９０４と協働しながらプログラムを実行することで実現される。また、破棄パケット情報生成部５３２、破棄パケット情報読み出し部５３４、破棄パケット情報マージ部５３７は、例えば、ＣＰＵ９０１がプログラムを実行することで実現される。また、破棄パケット情報記憶部５３３は、例えば、ＲＡＭ９０３や記憶装置９０５によって実現される。
【０１２９】
また、図２２に示したコンピュータ９００により課金情報生成装置５４０を実現する場合、パケット転送部５４１、破棄パケット情報受信部５４４は、例えば、ＣＰＵ９０１が通信インタフェース９０４と協働しながらプログラムを実行することで実現される。また、ＣＤＲ送信部５４６も、例えば、ＣＰＵ９０１が通信インタフェース９０４と協働しながらプログラムを実行することで実現される。また、生成部５４２、課金情報修正部５４５は、例えば、ＣＰＵ９０１がプログラムを実行することで実現される。課金情報記憶部５４３は、例えば、ＲＡＭ９０３や記憶装置９０５によって実現される。
【０１３０】
なお、図２２に示したコンピュータ９００により課金情報処理装置５５０を実現する場合、課金情報処理装置５５０の機能は、例えば、ＣＰＵ９０１が、必要に応じて通信インタフェース９０４と協働しながら、プログラムを実行することで実現される。
【０１３１】
以上、実施形態を説明したが、本発明は、上述した実施形態に限定されることなく、本発明の要旨を逸脱しない範囲内で種々の改良・変更が可能である。
【０１３２】
以上の実施の形態に関し、更に以下の付記を開示する。
（付記１）
基地局装置、データ中継装置、課金情報生成装置を含む課金システムであって、
前記基地局装置は、
データを転送する第１のデータ転送部と、
少なくとも前記課金情報生成装置を介して転送され且つ前記第１のデータ転送部により転送されなかった端末装置宛データに関する転送不可データ情報を生成する第１の生成部と、
前記第１の生成部により生成された転送不可データ情報を外部へ送信する第１の送信部と、
を備え、
前記データ中継装置は、
データを転送する第２のデータ転送部と、
少なくとも前記課金情報生成装置を介して転送され且つ前記第２のデータ転送部により転送されなかった端末装置宛データに関する転送不可データ情報を生成する第２の生成部と、
前記第２の生成部により生成された転送不可データ情報を外部へ送信する第２の送信部と、
を備え、
前記課金情報生成装置は、
データを転送する第３のデータ転送部と、
前記第３のデータ転送部により転送されたデータに基づいて課金情報を生成する課金情報生成部と、
を備え、
前記課金情報が、前記第１の送信部により送信された転送不可データ情報と前記第２の送信部により送信された転送不可データ情報のいずれか一方又は両方に基づいて、修正される、
ことを特徴とする課金システム。
（付記２）
課金情報処理装置を更に含み、
前記基地局装置において、
前記第１の送信部は、前記第１の生成部により生成された転送不可データ情報を前記課金情報処理装置へ送信し、
前記データ中継装置において、
前記第２の送信部は、前記第２の生成部により生成された転送不可データ情報を前記課金情報処理装置へ送信し、
前記課金情報生成装置は、
前記課金情報を前記課金情報処理装置へ送信する第３の送信部、
を更に備え、
前記課金情報処理装置は、
前記課金情報を受信する第１の受信部と、
前記転送不可データ情報を受信する第２の受信部と、
前記第１の受信部により受信された課金情報を、前記第２の受信部により受信された転送不可データ情報に基づいて修正する課金情報修正部と、
を備える、
ことを特徴とする付記１記載の課金システム。
（付記３）
前記基地局装置において、
前記第１の生成部は、転送不可データ情報が記録されるファイルである転送不可データ用ＣＤＲ（Charging Data Record）を生成し、当該転送不可データ用ＣＤＲに、当該第１の生成部が生成した転送不可データ情報を記録し、
前記第１の送信部は、前記第１の生成部により転送不可データ情報が記録された転送不可データ用ＣＤＲを前記課金情報処理装置へ送信し、
前記データ中継装置において、
前記第２の生成部は、転送不可データ用ＣＤＲを生成し、当該転送不可データ用ＣＤＲに、当該第２の生成部が生成した転送不可データ情報を記録し、
前記第２の送信部は、前記第２の生成部により転送不可データ情報が記録された転送不可データ用ＣＤＲを前記課金情報処理装置へ送信し、
前記課金情報生成装置において、
前記課金情報生成部は、課金情報が記録されるファイルであるＣＤＲを生成し、当該ＣＤＲに、当該課金情報生成部が生成した課金情報を記録し、
前記第３の送信部は、前記課金情報生成部により課金情報が記録されたＣＤＲを、前記課金情報処理装置へ送信し、
前記課金情報処理装置において、
前記第１の受信部は、前記ＣＤＲを受信し、
前記第２の受信部は、前記転送不可データ用ＣＤＲを受信し、
前記課金情報修正部は、前記第１の受信部により受信されたＣＤＲに記録された課金情報を、前記第２の受信部により受信された転送不可データ用ＣＤＲに記録された転送不可データ情報に基づいて修正する、
ことを特徴とする付記２記載の課金システム。
（付記４）
前記基地局装置において、
前記第１の送信部は、前記第１の生成部により生成された転送不可データ情報を、当該転送不可データ情報に係る転送不可の端末装置宛データの転送元装置へ送信し、
前記データ中継装置は、
前記第２のデータ転送部が転送した端末装置宛データの転送先装置から送信された転送不可データ情報を受信する第１の受信部と、
前記第１の受信部により受信された転送不可データ情報と、前記第２の生成部により生成された転送不可データ情報とをマージするマージ部と、
を更に備え、
前記データ中継装置において、
前記第２の送信部は、前記第２の生成部により生成された転送不可データ情報、前記第１の受信部により受信された転送不可データ情報、又は、前記マージ部によりマージされた転送不可データ情報を、当該転送不可データ情報に係る転送不可の端末装置宛データの転送元装置へ送信し、
前記課金情報生成装置は、
前記第３のデータ転送部が転送した端末装置宛データの転送先装置から送信された転送不可データ情報を受信する第２の受信部と、
前記課金情報生成部により生成された課金情報を、前記第２の受信部により受信された転送不可データ情報に基づいて修正する課金情報修正部と、
を更に備える、
ことを特徴とする付記１記載の課金システム。
（付記５）
前記課金情報は、前記第３のデータ転送部が転送した端末装置宛データのデータ量に関する情報を含み、
前記転送不可データ情報は、少なくとも前記第３のデータ転送部を介して転送され且つ端末装置に転送されなかった端末装置宛データのデータ量に関する情報を含み、
前記課金情報修正部は、前記課金情報に含まれる端末装置宛データのデータ量から、前記転送不可データ情報に含まれる端末装置宛データのデータ量を減算する、
ことを特徴とする付記１乃至４の何れか一項に記載の課金システム。
（付記６）
データを転送するデータ転送部と、
転送したデータに基づいて課金情報を生成する課金情報生成装置を少なくとも介して転送され且つ前記データ転送部により転送されなかった端末装置宛データに関する転送不可データ情報を生成する生成部と、
前記転送不可データ情報を外部へ送信する送信部と、
を備えることを特徴とする基地局装置。
（付記７）
前記生成部は、転送不可データ情報が記録されるファイルである転送不可データ用ＣＤＲ（Charging Data Record）を生成し、当該転送不可データ用ＣＤＲに前記転送不可データ情報を記録し、
前記送信部は、前記転送不可データ情報が記録された転送不可データ用ＣＤＲを、前記課金情報生成装置により生成された課金情報を記録したファイルであるＣＤＲを処理する課金情報処理装置へ送信する、
ことを特徴とする付記６記載の基地局装置。
（付記８）
前記送信部は、前記転送不可データ情報を、当該転送不可データ情報に係る転送不可の端末装置宛データの転送元装置へ送信する、
ことを特徴とする付記６記載の基地局装置。
（付記９）
前記転送不可データ情報は、少なくとも前記課金情報生成装置を介して転送され且つ前記データ転送部により転送されなかった端末装置宛データのデータ量に関する情報を含む、
ことを特徴とする付記６乃至８の何れか一項に記載の基地局装置。
（付記１０）
データを転送するデータ転送部と、
転送したデータに基づいて課金情報を生成する課金情報生成装置を少なくとも介して転送され且つ前記データ転送部により転送されなかった端末装置宛データに関する転送不可データ情報を生成する生成部と、
前記転送不可データ情報を外部へ送信する送信部と、
を備えることを特徴とするデータ中継装置。
（付記１１）
前記生成部は、転送不可データ情報が記録されるファイルである転送不可データ用ＣＤＲ（Charging Data Record）を生成し、当該転送不可データ用ＣＤＲに前記転送不可データ情報を記録し、
前記送信部は、前記転送不可データ情報が記録された転送不可データ用ＣＤＲを、前記課金情報生成装置により生成された課金情報を記録したファイルであるＣＤＲを処理する課金情報処理装置へ送信する、
ことを特徴とする付記１０記載のデータ中継装置。
（付記１２）
前記データ転送部が転送した端末装置宛データの転送先装置から送信された転送不可データ情報を受信する受信部と、
前記受信部により受信された転送不可データ情報と、前記生成部により生成された転送不可データ情報とをマージするマージ部と、
を更に備え、
前記受信部により受信された転送不可データ情報は、少なくとも前記課金情報生成装置及び前記データ転送部を介して転送され且つ端末装置に転送されなかった端末装置宛データに関する情報であり、
前記送信部は、前記生成部により生成された転送不可データ情報、前記受信部により受信された転送不可データ情報、又は、前記マージ部によりマージされた転送不可データ情報を、当該転送不可データ情報に係る転送不可の端末装置宛データの転送元装置へ送信する、
ことを特徴とする付記１０記載のデータ中継装置。
（付記１３）
前記生成部により生成された転送不可データ情報は、少なくとも前記課金情報生成装置を介して転送され且つ前記データ転送部により転送されなかった端末装置宛データのデータ量に関する情報を含む、
ことを特徴とする付記１０乃至１２の何れか一項に記載のデータ中継装置。
（付記１４）
前記受信部により受信された転送不可データ情報は、少なくとも前記課金情報生成装置及び前記データ転送部を介して転送され且つ端末装置に転送されなかった端末装置宛データのデータ量に関する情報を含む、
ことを特徴とする付記１２記載のデータ中継装置。
（付記１５）
転送したデータに基づいて課金情報を生成する課金情報生成装置から送信された課金情報を受信する第１の受信部と、
外部から送信された転送不可データ情報を受信する第２の受信部と、
前記課金情報を前記転送不可データ情報に基づいて修正する課金情報修正部と、
を備え、
前記第２の受信部により受信された転送不可データ情報は、少なくとも前記課金情報生成装置を介して転送され且つ端末装置に転送されなかった端末装置宛データに関する情報である、
ことを特徴とする課金情報処理装置。
（付記１６）
前記第１の受信部は、前記課金情報生成装置から送信された、前記課金情報を記録したファイルであるＣＤＲ（Charging Data Record）を受信し、
前記第２の受信部は、外部から送信された、前記転送不可データ情報を記録したファイルである転送不可データ用ＣＤＲを受信し、
前記課金情報修正部は、前記ＣＤＲに記録された課金情報を前記転送不可データ用ＣＤＲに記録された転送不可データ情報に基づいて修正する、
ことを特徴とする付記１５記載の課金情報処理装置。
（付記１７）
前記課金情報は、前記課金情報生成装置が転送した端末装置宛データのデータ量に関する情報を含み、
前記転送不可データ情報は、少なくとも前記課金情報生成装置を介して転送され且つ端末装置に転送されなかった端末装置宛データのデータ量に関する情報を含み、
前記課金情報修正部は、前記課金情報に含まれる端末装置宛データのデータ量から、前記転送不可データ情報に含まれる端末装置宛データのデータ量を減算する、
ことを特徴とする付記１５又は１６記載の課金情報処理装置。
（付記１８）
データを転送するデータ転送部と、
前記データ転送部により転送されたデータに基づいて課金情報を生成する課金情報生成部と、
外部から送信された転送不可データ情報を受信する受信部と、
前記課金情報を前記転送不可データ情報に基づいて修正する課金情報修正部と、
前記課金情報生成部により生成された課金情報と前記課金情報修正部により修正された課金情報のいずれか一方又は両方を外部へ送信する送信部と、
を備え、
前記転送不可データ情報は、少なくとも前記データ転送部を介して転送され且つ端末装置に転送されなかった端末装置宛データに関する情報である、
ことを特徴とする課金情報生成装置。
（付記１９）
前記課金情報生成部により生成された課金情報は、前記データ転送部が転送した端末装置宛データのデータ量に関する情報を含み、
前記転送不可データ情報は、少なくとも前記データ転送部を介して転送され且つ端末装置に転送されなかった端末装置宛データのデータ量に関する情報を含み、
前記課金情報修正部は、前記課金情報に含まれる端末装置宛データのデータ量から、前記転送不可データ情報に含まれる端末装置宛データのデータ量を減算する、
ことを特徴とする付記１８記載の課金情報生成装置。
（付記２０）
基地局装置、データ中継装置、課金情報生成装置を含む課金システムの課金情報修正方法であって、
前記基地局装置のコンピュータは、
少なくとも前記課金情報生成装置を介して転送され且つ当該基地局装置により転送されなかった端末装置宛データに関する転送不可データ情報を生成し、
前記転送不可データ情報を外部へ送信する、
処理を実行し、
前記データ中継装置のコンピュータは、
少なくとも前記課金情報生成装置を介して転送され且つ当該データ中継装置により転送されなかった端末装置宛データに関する転送不可データ情報を生成し、
前記転送不可データ情報を外部へ送信する、
処理を実行し、
前記課金情報生成装置が転送したデータに基づいて生成された課金情報が、前記基地局装置から送信された転送不可データ情報と前記データ中継装置から送信された転送不可データ情報のいずれか一方又は両方に基づいて、修正される、
ことを特徴とする課金システムの課金情報修正方法。
（付記２１）
基地局装置のコンピュータは、
転送したデータに基づいて課金情報を生成する課金情報生成装置を少なくとも介して転送され且つ当該基地局装置により転送されなかった端末装置宛データに関する転送不可データ情報を生成し、
前記転送不可データ情報を外部へ送信する、
処理を実行することを特徴とする基地局装置の転送不可データ情報生成方法。
（付記２２）
データ中継装置のコンピュータは、
転送したデータに基づいて課金情報を生成する課金情報生成装置を少なくとも介して転送され且つ当該データ中継装置により転送されなかった端末装置宛データに関する転送不可データ情報を生成し、
前記転送不可データ情報を外部へ送信する、
処理を実行することを特徴とするデータ中継装置の転送不可データ情報生成方法。
（付記２３）
転送したデータに基づいて課金情報を生成する課金情報生成装置から送信された課金情報を処理する課金情報処理装置のコンピュータは、
外部から送信された転送不可データ情報を受信し、
前記課金情報を前記転送不可データ情報に基づいて修正する、
処理を実行し、
前記転送不可データ情報は、少なくとも前記課金情報生成装置を介して転送され且つ端末装置に転送されなかった端末装置宛データに関する情報である、
ことを特徴とする課金情報処理装置の課金情報修正方法。
（付記２４）
課金情報生成装置のコンピュータは、
当該課金情報生成装置が転送したデータに基づいて生成した課金情報を、外部から送信された転送不可データ情報に基づいて修正する、
処理を実行し、
前記転送不可データ情報は、少なくとも当該課金情報生成装置を介して転送され且つ端末装置に転送されなかった端末装置宛データに関する情報である、
ことを特徴とする課金情報生成装置の課金情報修正方法。
（付記２５）
基地局装置のコンピュータに、
転送したデータに基づいて課金情報を生成する課金情報生成装置を少なくとも介して転送され且つ当該基地局装置により転送されなかった端末装置宛データに関する転送不可データ情報を生成し、
前記転送不可データ情報を外部へ送信する、
処理を実行させることを特徴とするプログラム。
（付記２６）
データ中継装置のコンピュータに、
転送したデータに基づいて課金情報を生成する課金情報生成装置を少なくとも介して転送され且つ当該データ中継装置により転送されなかった端末装置宛データに関する転送不可データ情報を生成し、
前記転送不可データ情報を外部へ送信する、
処理を実行させることを特徴とするプログラム。
（付記２７）
転送したデータに基づいて課金情報を生成する課金情報生成装置から送信された課金情報を処理する課金情報処理装置のコンピュータに、
外部から送信された転送不可データ情報を受信し、
前記課金情報を前記転送不可データ情報に基づいて修正する、
処理を実行させ、
前記転送不可データ情報は、少なくとも前記課金情報生成装置を介して転送され且つ端末装置に転送されなかった端末装置宛データに関する情報である、
ことを特徴とするプログラム。
（付記２８）
課金情報生成装置のコンピュータに、
当該課金情報生成装置が転送したデータに基づいて生成された課金情報を、外部から送信された転送不可データ情報に基づいて修正する、
処理を実行させ、
前記転送不可データ情報は、少なくとも当該課金情報生成装置を介して転送され且つ端末装置に転送されなかった端末装置宛データに関する情報である、
ことを特徴とするプログラム。
【符号の説明】
【０１３３】
１００    課金システム
１１０    端末装置
１２０    基地局装置
１２０ａ  破棄パケット専用ＣＤＲ
１２１    パケット転送部
１２２    破棄パケット情報・破棄パケット専用ＣＤＲ生成部
１２３    破棄パケット専用ＣＤＲ送信部
１３０    パケット中継装置
１３０ａ  破棄パケット専用ＣＤＲ
１３１    パケット転送部
１３２    破棄パケット情報・破棄パケット専用ＣＤＲ生成部
１３３    破棄パケット専用ＣＤＲ送信部
１４０    課金情報生成装置
１４０ａ  ＣＤＲ
１４１    パケット転送部
１４２    通過パケットの課金情報・ＣＤＲ生成部
１４３    ＣＤＲ送信部
１５０    課金情報処理装置
１５１    破棄パケット専用ＣＤＲ受信部
１５２    ＣＤＲ受信部
１５３    課金情報修正部
１５３ａ  記憶部
１５４    明細請求書データ作成部
２１０    Ｅ−ＵＴＲＡＮ
２１１    端末装置
２１２    ｅＮＢ
２１２ａ  破棄パケット専用ＣＤＲ
２２０    ＥＰＣ
２２１    ＳＧＷ
２２１ａ  破棄パケット専用ＣＤＲ
２２２    ＰＧＷ
２２２ａ  ＣＤＲ
３１０    ＵＴＲＡＮ
３１１    端末装置
３１２    ＮＢ
３１２ａ  破棄パケット専用ＣＤＲ
３１３    ＲＮＣ
３１３ａ  破棄パケット専用ＣＤＲ
３２０    ＧＰＲＳ
３２１    ＳＧＳＮ
３２１ａ  破棄パケット専用ＣＤＲ
３２２    ＧＧＳＮ
３２２ａ  ＣＤＲ
４１０    ＵＴＲＡＮ
４１１    端末装置
４１２    ＮＢ
４１２ａ  破棄パケット専用ＣＤＲ
４１３    ＲＮＣ
４１３ａ  破棄パケット専用ＣＤＲ
４２０    ＧＰＲＳ
４２１    ＳＧＳＮ
４２１ａ  破棄パケット専用ＣＤＲ
４３０    ＥＰＣ
４３１    ＳＧＷ
４３１ａ  破棄パケット専用ＣＤＲ
４３２    ＰＧＷ
４３２ａ  ＣＤＲ
５００    課金システム
５１０    端末装置
５２０    基地局装置
５２１    パケット転送部
５２１ａ  パケット破棄判定部
５２１ｂ  パケット転送可否判定部
５２２    破棄パケット情報生成部
５２３    破棄パケット情報記憶部
５２４    破棄パケット情報読み出し部
５２５    破棄パケット情報送信部
５３０    パケット中継装置
５３１    パケット転送部
５３１ａ  パケット破棄判定部
５３１ｂ  パケット転送可否判定部
５３２    破棄パケット情報生成部
５３３    破棄パケット情報記憶部
５３４    破棄パケット情報読み出し部
５３５    破棄パケット情報送信部
５３６    破棄パケット情報受信部
５３７    破棄パケット情報マージ部
５４０    課金情報生成装置
５４０ａ  ＣＤＲ
５４１    パケット転送部
５４２    通過パケットの課金情報・ＣＤＲ生成部
５４３    課金情報記憶部
５４４    破棄パケット情報受信部
５４５    課金情報修正部
５４６    ＣＤＲ送信部
５５０    課金情報処理装置
６１０    Ｅ−ＵＴＲＡＮ
６１１    端末装置
６１２    ｅＮＢ
６２０    ＥＰＣ
６２１    ＳＧＷ
６２２    ＰＧＷ
６２２ａ  ＣＤＲ
７１０    ＵＴＲＡＮ
７１１    端末装置
７１２    ＮＢ
７１３    ＲＮＣ
７２０    ＧＰＲＳ
７２１    ＳＧＳＮ
７２２    ＧＧＳＮ
７２２ａ  ＣＤＲ
８１０    ＵＴＲＡＮ
８１１    端末装置
８１２    ＮＢ
８１３    ＲＮＣ
８２０    ＧＰＲＳ
８２１    ＳＧＳＮ
８３０    ＥＰＣ
８３１    ＳＧＷ
８３２    ＰＧＷ
８３２ａ  ＣＤＲ
９０１    ＣＰＵ
９０２    ＲＯＭ
９０３    ＲＡＭ
９０４    通信インタフェース
９０５    記憶装置
９０６    入出力装置
９０７    読取装置
９０８    バス
９０９    プログラム提供者端末装置
９１０    ネットワーク
９１１    可搬型記憶媒体
【図１】
0005891790.tif 000002
【図２】
0005891790.tif 000003
【図３】
0005891790.tif 000004
【図４】
0005891790.tif 000005
【図５】
0005891790.tif 000006
【図６】
0005891790.tif 000007
【図７】
0005891790.tif 000008
【図８】
0005891790.tif 000009
【図９】
0005891790.tif 000010
【図１０】
0005891790.tif 000011
【図１２】
0005891790.tif 000012
【図１３】
0005891790.tif 000013
【図１４】
0005891790.tif 000014
【図１５】
0005891790.tif 000015
【図１６】
0005891790.tif 000016
【図１７】
0005891790.tif 000017
【図１８】
0005891790.tif 000018
【図１９】
0005891790.tif 000019
【図２０】
0005891790.tif 000020
【図２１】
0005891790.tif 000021
【図２２】
0005891790.tif 000022
【図１１】
0005891790.tif 000023